(57)【要約】【課題】音声とともに画像を記録する場合にノイズの記録を防止してユーザの好みのズーム操作を適切に行う。【解決手段】電子ズーム処理部２２０は画像における取出範囲を変更して電子ズーム倍率を変更させ、光学ズーム処理部２３０はズームレンズを移動させて焦点距離を変更することにより光学ズーム倍率を変更させる。制御部２６０は、静止画撮像モードから動画撮像モードへの切替操作が受け付けられた場合にはズームレンズをワイド端に移動させる。また、その移動とともに、切替操作時における光学ズーム倍率と、ズームレンズ移動後の電子ズーム倍率とが略同一となるように電子ズーム処理部２２０を制御する。そして、ズームレンズがワイド端に移動するまでの間、光学ズーム倍率と電子ズーム倍率との組み合わせにより得られるズーム倍率が略一定となるように変更された画像が表示部２７２に順次表示させる。【選択図】図５
2010263548.tif 000002
【特許請求の範囲】
【請求項１】
被写体を撮像して画像を生成する撮像部と、
音声を記録しない第１の画像撮像モードから音声を記録する第２の画像撮像モードへの切替操作を受け付ける切替操作受付部と、
ズームレンズを移動させて焦点距離を変更することによりズーム倍率を光学的に変更させる光学ズーム処理部と、
前記生成された画像における取出範囲を変更することによりズーム倍率を電子的に変更させる電子ズーム処理部と、
前記切替操作が受け付けられた場合には前記ズームレンズをワイド端側の所定の位置に移動させるように前記光学ズーム処理部を制御するとともに当該切替操作が受け付けられた際におけるズーム倍率と前記ズームレンズが前記所定の位置に移動した後におけるズーム倍率とが略同一となるように前記電子ズーム処理部を制御する制御部と
を具備する撮像装置。
【請求項２】
前記第２の画像撮像モードは、前記生成された画像により構成される動画を音声とともに記録するための撮像モードであり、
前記第２の画像撮像モードにおいて前記動画の記録動作開始を指示する指示操作を受け付ける指示操作受付部と、
前記動画を記録媒体に記録させる記録制御部とをさらに具備し、
前記制御部は、前記ズームレンズが前記所定の位置に移動するまでの間、前記指示操作が受け付けられた場合には前記ズームレンズの前記所定の位置への移動速度が一定の速度となるように減速させて前記動画の記録動作を前記記録制御部に開始させる制御を行う
請求項１記載の撮像装置。
【請求項３】
前記制御部は、前記切替操作が受け付けられた場合において、前記ズームレンズが前記所定の位置に移動するまでの間、当該ズームレンズの移動に応じて変更されるズーム倍率と前記電子ズーム処理部により変更されるズーム倍率との組み合わせにより得られるズーム倍率が略一定となるように前記電子ズーム処理部を制御し、前記指示操作が受け付けられた場合には、前記組み合わせにより得られるズーム倍率が略一定となるように変更された画像により構成される動画を前記記録媒体に記録させるように前記記録制御部を制御する請求項２記載の撮像装置。
【請求項４】
前記制御部は、前記切替操作が受け付けられた場合には、前記ズームレンズが前記所定の位置に移動するまでの間、当該ズームレンズの移動に応じて変更されるズーム倍率と前記電子ズーム処理部により変更されるズーム倍率との組み合わせにより得られるズーム倍率が略一定となるように前記電子ズーム処理部を制御する請求項１記載の撮像装置。
【請求項５】
前記制御部は、前記切替操作が受け付けられた場合には、前記ズームレンズが前記所定の位置に移動するまでの間、前記組み合わせにより得られるズーム倍率が略一定となるように変更された画像を表示部に順次表示させる制御を行う請求項４記載の撮像装置。
【請求項６】
前記制御部は、前記切替操作が受け付けられた場合において、当該切替操作が受け付けられた際における前記ズームレンズの位置が基準位置よりもテレ端側に存在する場合には、前記ズームレンズが前記所定の位置に移動するまでの間、前記組み合わせにより得られるズーム倍率が略一定となるように変更された画像を表示部に順次表示させ、当該切替操作が受け付けられた際における前記ズームレンズの位置が前記基準位置よりもワイド端側に存在する場合には、前記ズームレンズが前記所定の位置に移動するまでの間、当該切替操作が受け付けられた際に前記表示部に表示されていた画像を継続して前記表示部に表示させる制御を行う請求項４記載の撮像装置。
【請求項７】
前記撮像装置の撮像動作時における姿勢の変化を検出する姿勢検出部をさらに具備し、
前記制御部は、前記切替操作が受け付けられた場合において、当該切替操作が受け付けられた際に検出された前記撮像装置の撮像動作時における姿勢の変化量が基準を超えている場合には、前記ズームレンズが前記所定の位置に移動するまでの間、前記組み合わせにより得られるズーム倍率が略一定となるように変更された画像を表示部に順次表示させ、前記変化量が基準を超えていない場合には、前記ズームレンズが前記所定の位置に移動するまでの間、当該切替操作が受け付けられた際に前記表示部に表示されていた画像を継続して前記表示部に表示させる制御を行う
請求項４記載の撮像装置。
【請求項８】
前記生成された画像を表示する表示部と、
前記表示部の表示対象となる画像を保持する画像保持部とをさらに具備し、
前記制御部は、前記切替操作が受け付けられた場合には、当該切替操作が受け付けられた際に前記表示部に表示されていた画像を前記画像保持部に保持させ、前記ズームレンズが前記所定の位置に移動するまでの間、前記画像保持部に保持されている画像を前記表示部に表示させる
請求項１記載の撮像装置。
【請求項９】
前記制御部は、前記切替操作が受け付けられた場合には前記ズームレンズを前記ワイド端に移動させるように前記光学ズーム処理部を制御する請求項１記載の撮像装置。
【請求項１０】
前記制御部は、前記切替操作が受け付けられた場合には当該切替操作が受け付けられた際における前記光学ズーム処理部によるズーム倍率に基づいて前記所定の位置を決定して前記決定された位置に前記ズームレンズを移動させるように前記光学ズーム処理部を制御する請求項１記載の撮像装置。
【請求項１１】
前記制御部は、前記切替操作が受け付けられた場合には当該切替操作が受け付けられた際における前記光学ズーム処理部によるズーム倍率に基づいて前記第２の画像撮像モードにおいて前記電子ズーム処理部により変更されるズーム倍率の上限値を決定する請求項１記載の撮像装置。
【請求項１２】
前記切替操作受付部は、前記第２の画像撮像モードから前記第１の画像撮像モードへの切替操作を受け付け、
前記制御部は、前記第２の画像撮像モードから前記第１の画像撮像モードへの切替操作が受け付けられた場合には、当該切替操作が受け付けられた際におけるズーム倍率に基づいて前記ズームレンズをテレ端側に移動させる位置を決定して当該切替操作が受け付けられた際におけるズーム倍率と前記決定された位置に前記ズームレンズが移動した後におけるズーム倍率とが略同一となるように前記電子ズーム処理部を制御するとともに、前記決定された位置に前記ズームレンズを移動させるように前記光学ズーム処理部を制御する
請求項１記載の撮像装置。
【請求項１３】
音声を記録しない第１の画像撮像モードから音声を記録する第２の画像撮像モードへの切替操作が受け付けられた場合にはズームレンズをワイド端側の所定の位置に移動させる第１の制御手順と、
前記切替操作が受け付けられた場合には当該切替操作が受け付けられた際におけるズーム倍率と前記ズームレンズが前記所定の位置に移動した後におけるズーム倍率とが略同一となるように電子ズーム処理を行う第２の制御手順と
を具備する撮像装置の制御方法。
【請求項１４】
音声を記録しない第１の画像撮像モードから音声を記録する第２の画像撮像モードへの切替操作が受け付けられた場合にはズームレンズをワイド端側の所定の位置に移動させる第１の制御手順と、
前記切替操作が受け付けられた場合には当該切替操作が受け付けられた際におけるズーム倍率と前記ズームレンズが前記所定の位置に移動した後におけるズーム倍率とが略同一となるように電子ズーム処理を行う第２の制御手順と
をコンピュータに実行させるプログラム。
【発明の詳細な説明】
【技術分野】
【０００１】
本発明は、撮像装置に関し、特に、光学ズームおよび電子ズームを行うことが可能な撮像装置およびその制御方法ならびに当該方法をコンピュータに実行させるプログラムに関する。
【背景技術】
【０００２】
近年、人物等の被写体が撮像された画像（撮像画像）を記録するデジタルスチルカメラ、デジタルビデオカメラ（例えば、カメラ一体型レコーダ）等の撮像装置が普及している。また、ズームレンズを移動させることにより光学的にズーム倍率を変更する光学ズーム機能と、撮像画像における取出領域の大きさを変更することにより電子的にズーム倍率を変更する電子ズーム機能とを備える撮像装置が存在する。
【０００３】
これらの撮像装置として、例えば、撮像画像を静止画として記録するための静止画撮像モードと、撮像画像を動画として記録するための動画撮像モードとの何れかの撮像モードを設定し、静止画および動画の双方を記録することが可能な撮像装置が存在する。これらの撮像装置を用いて、動画を記録する場合には、動画とともに音声を記録することが可能である。
【０００４】
ここで、光学ズーム機能によりズーム倍率を変更する場合には、ズームレンズを駆動させる必要がある。また、このように光学ズーム機能によりズーム倍率を変更する場合には、ズームレンズを駆動させるためのアクチュエータ（例えば、モータ）の駆動音やズームレンズが移動する際の摩擦による振動音が発生する。このため、例えば、動画を記録している場合において、光学ズーム機能によりズーム倍率を変更する場合には、その駆動音や振動音等の音声がノイズとして記録されるおそれがある。
【０００５】
そこで、動画記録中には、ズームレンズの駆動音等のノイズが動画とともに記録されることを防止するため、光学ズームの使用を制限し、ズームレンズの駆動音等のノイズの発生を防止する撮像装置が存在する。例えば、動画撮像モードまたは静止画撮像モードを設定することが可能な電子カメラにおいて、動画撮像モードが設定されている場合には、光学ズームよりも電子ズームを優先して行う電子カメラが提案されている（例えば、特許文献１参照。）。
【先行技術文献】
【特許文献】
【０００６】
【特許文献１】特開２００５−１７５９６０号公報（図５）
【発明の概要】
【発明が解決しようとする課題】
【０００７】
上述の従来技術によれば、動画記録中にズーム倍率の変更を行う場合には、電子ズームを優先するため、電子ズームによりズーム倍率の変更を行っている間は、ズームレンズの駆動音等のノイズの発生を防止することができる。
【０００８】
しかしながら、動画撮像モードの設定時におけるズームレンズの位置によっては、静止画撮像モードの設定時でのズーム操作では可能であったズーム倍率の変更を適切に行えない場合が想定される。例えば、電子ズームを行う場合には、光学ズームで設定された焦点距離よりもワイド側へのズーム操作を行うことができないため、光学ズームを行う場合と比較して、ズーム領域に制限が生じることがある。また、ワイド側にズーム操作を行うために光学ズームを作動させる場合には、ズームレンズの駆動音等の音声が発生し、この音声が動画とともに記録されるおそれがある。そこで、ズームレンズの駆動音等の音声がノイズとして動画とともに記録されることを防止するとともに、ユーザによるズーム操作を適切に行うことが重要である。
【０００９】
本発明はこのような状況に鑑みてなされたものであり、音声とともに画像を記録する場合にノイズの記録を防止してユーザの好みのズーム操作を適切に行うことを目的とする。
【課題を解決するための手段】
【００１０】
本発明は、上記課題を解決するためになされたものであり、その第１の側面は、被写体を撮像して画像を生成する撮像部と、音声を記録しない第１の画像撮像モードから音声を記録する第２の画像撮像モードへの切替操作を受け付ける切替操作受付部と、ズームレンズを移動させて焦点距離を変更することによりズーム倍率を光学的に変更させる光学ズーム処理部と、上記生成された画像における取出範囲を変更することによりズーム倍率を電子的に変更させる電子ズーム処理部と、上記切替操作が受け付けられた場合には上記ズームレンズをワイド端側の所定の位置に移動させるように上記光学ズーム処理部を制御するとともに当該切替操作が受け付けられた際におけるズーム倍率と上記ズームレンズが上記所定の位置に移動した後におけるズーム倍率とが略同一となるように上記電子ズーム処理部を制御する制御部とを具備する撮像装置およびその制御方法ならびに当該方法をコンピュータに実行させるプログラムである。これにより、第１の画像撮像モードから第２の画像撮像モードへの切替操作が受け付けられた場合には、ズームレンズをワイド端側の所定の位置に移動させるように制御するとともに、その切替操作が受け付けられた際におけるズーム倍率と、ズームレンズが所定の位置に移動した後におけるズーム倍率とが略同一となるように電子ズーム処理を制御するという作用をもたらす。
【００１１】
また、この第１の側面において、上記第２の画像撮像モードは、上記生成された画像により構成される動画を音声とともに記録するための撮像モードであり、上記第２の画像撮像モードにおいて上記動画の記録動作開始を指示する指示操作を受け付ける指示操作受付部と、上記動画を記録媒体に記録させる記録制御部とをさらに具備し、上記制御部は、上記ズームレンズが上記所定の位置に移動するまでの間、上記指示操作が受け付けられた場合には上記ズームレンズの上記所定の位置への移動速度が一定の速度となるように減速させて上記動画の記録動作を上記記録制御部に開始させる制御を行うようにしてもよい。これにより、ズームレンズが所定の位置に移動するまでの間、動画の記録動作開始を指示する指示操作が受け付けられた場合には、ズームレンズの所定の位置への移動速度が一定の速度となるように減速させ、動画の記録動作を開始させるという作用をもたらす。
【００１２】
また、この第１の側面において、上記制御部は、上記切替操作が受け付けられた場合において、上記ズームレンズが上記所定の位置に移動するまでの間、当該ズームレンズの移動に応じて変更されるズーム倍率と上記電子ズーム処理部により変更されるズーム倍率との組み合わせにより得られるズーム倍率が略一定となるように上記電子ズーム処理部を制御し、上記指示操作が受け付けられた場合には、上記組み合わせにより得られるズーム倍率が略一定となるように変更された画像により構成される動画を上記記録媒体に記録させるように上記記録制御部を制御するようにしてもよい。これにより、ズームレンズが所定の位置に移動するまでの間、光学ズーム倍率および電子ズーム倍率の組み合わせにより得られるズーム倍率が略一定となるように電子ズーム処理を制御し、動画の記録動作開始を指示する指示操作が受け付けられた場合には、その組み合わせにより得られるズーム倍率が略一定となるように変更された画像により構成される動画を記録媒体に記録させるという作用をもたらす。
【００１３】
また、この第１の側面において、上記制御部は、上記切替操作が受け付けられた場合には、上記ズームレンズが上記所定の位置に移動するまでの間、当該ズームレンズの移動に応じて変更されるズーム倍率と上記電子ズーム処理部により変更されるズーム倍率との組み合わせにより得られるズーム倍率が略一定となるように上記電子ズーム処理部を制御するようにしてもよい。これにより、切替操作が受け付けられた場合には、ズームレンズが所定の位置に移動するまでの間、光学ズーム倍率および電子ズーム倍率の組み合わせにより得られるズーム倍率が略一定となるように電子ズーム処理を制御するという作用をもたらす。
【００１４】
また、この第１の側面において、上記制御部は、上記切替操作が受け付けられた場合には、上記ズームレンズが上記所定の位置に移動するまでの間、上記組み合わせにより得られるズーム倍率が略一定となるように変更された画像を表示部に順次表示させる制御を行うようにしてもよい。これにより、切替操作が受け付けられた場合には、ズームレンズが所定の位置に移動するまでの間、光学ズーム倍率および電子ズーム倍率の組み合わせにより得られるズーム倍率が略一定となるように変更された画像を順次表示させるという作用をもたらす。
【００１５】
また、この第１の側面において、上記制御部は、上記切替操作が受け付けられた場合において、当該切替操作が受け付けられた際における上記ズームレンズの位置が基準位置よりもテレ端側に存在する場合には、上記ズームレンズが上記所定の位置に移動するまでの間、上記組み合わせにより得られるズーム倍率が略一定となるように変更された画像を表示部に順次表示させ、当該切替操作が受け付けられた際における上記ズームレンズの位置が上記基準位置よりもワイド端側に存在する場合には、上記ズームレンズが上記所定の位置に移動するまでの間、当該切替操作が受け付けられた際に上記表示部に表示されていた画像を継続して上記表示部に表示させる制御を行うようにしてもよい。これにより、切替操作が受け付けられた場合において、その切替操作が受け付けられた際におけるズームレンズの位置が基準位置よりもテレ端側に存在する場合には、ズームレンズが所定の位置に移動するまでの間、光学ズーム倍率および電子ズーム倍率の組み合わせにより得られるズーム倍率が略一定となるように変更された画像を順次表示させ、一方、その切替操作が受け付けられた際におけるズームレンズの位置が基準位置よりもワイド端側に存在する場合には、ズームレンズが所定の位置に移動するまでの間、その切替操作が受け付けられた際に表示されていた画像を継続して表示させるという作用をもたらす。
【００１６】
また、この第１の側面において、上記撮像装置の撮像動作時における姿勢の変化を検出する姿勢検出部をさらに具備し、上記制御部は、上記切替操作が受け付けられた場合において、当該切替操作が受け付けられた際に検出された上記撮像装置の撮像動作時における姿勢の変化量が基準を超えている場合には、上記ズームレンズが上記所定の位置に移動するまでの間、上記組み合わせにより得られるズーム倍率が略一定となるように変更された画像を表示部に順次表示させ、上記変化量が基準を超えていない場合には、上記ズームレンズが上記所定の位置に移動するまでの間、当該切替操作が受け付けられた際に上記表示部に表示されていた画像を継続して上記表示部に表示させる制御を行うようにしてもよい。これにより、切替操作が受け付けられた場合において、その切替操作が受け付けられた際に検出された姿勢の変化量が基準を超えている場合には、ズームレンズが所定の位置に移動するまでの間、光学ズーム倍率および電子ズーム倍率の組み合わせにより得られるズーム倍率が略一定となるように変更された画像を順次表示させ、一方、その変化量が基準を超えていない場合には、ズームレンズが所定の位置に移動するまでの間、その切替操作が受け付けられた際に表示されていた画像を継続して表示させるという作用をもたらす。
【００１７】
また、この第１の側面において、上記生成された画像を表示する表示部と、上記表示部の表示対象となる画像を保持する画像保持部とをさらに具備し、上記制御部は、上記切替操作が受け付けられた場合には、当該切替操作が受け付けられた際に上記表示部に表示されていた画像を上記画像保持部に保持させ、上記ズームレンズが上記所定の位置に移動するまでの間、上記画像保持部に保持されている画像を上記表示部に表示させるようにしてもよい。これにより、切替操作が受け付けられた場合には、その切替操作が受け付けられた際に表示されていた画像を画像保持部に保持させ、ズームレンズが所定の位置に移動するまでの間、画像保持部に保持されている画像を表示させるという作用をもたらす。
【００１８】
また、この第１の側面において、上記制御部は、上記切替操作が受け付けられた場合には上記ズームレンズを上記ワイド端に移動させるように上記光学ズーム処理部を制御するようにしてもよい。これにより、切替操作が受け付けられた場合には、ズームレンズをワイド端に移動させるように制御するという作用をもたらす。
【００１９】
また、この第１の側面において、上記制御部は、上記切替操作が受け付けられた場合には当該切替操作が受け付けられた際における上記光学ズーム処理部によるズーム倍率に基づいて上記所定の位置を決定して上記決定された位置に上記ズームレンズを移動させるように上記光学ズーム処理部を制御するようにしてもよい。これにより、切替操作が受け付けられた場合には、その切替操作が受け付けられた際における光学ズーム倍率に基づいて、所定の位置を決定し、この決定された位置にズームレンズを移動させるように制御するという作用をもたらす。
【００２０】
また、この第１の側面において、上記制御部は、上記切替操作が受け付けられた場合には当該切替操作が受け付けられた際における上記光学ズーム処理部によるズーム倍率に基づいて上記第２の画像撮像モードにおいて上記電子ズーム処理部により変更されるズーム倍率の上限値を決定するようにしてもよい。これにより、切替操作が受け付けられた場合には、その切替操作が受け付けられた際における光学ズーム倍率に基づいて、第２の画像撮像モードにおける電子ズーム倍率の上限値を決定するという作用をもたらす。
【００２１】
また、この第１の側面において、上記切替操作受付部は、上記第２の画像撮像モードから上記第１の画像撮像モードへの切替操作を受け付け、上記制御部は、上記第２の画像撮像モードから上記第１の画像撮像モードへの切替操作が受け付けられた場合には、当該切替操作が受け付けられた際におけるズーム倍率に基づいて上記ズームレンズをテレ端側に移動させる位置を決定して当該切替操作が受け付けられた際におけるズーム倍率と上記決定された位置に上記ズームレンズが移動した後におけるズーム倍率とが略同一となるように上記電子ズーム処理部を制御するとともに、上記決定された位置に上記ズームレンズを移動させるように上記光学ズーム処理部を制御するようにしてもよい。これにより、第２の画像撮像モードから第１の画像撮像モードへの切替操作が受け付けられた場合には、その切替操作が受け付けられた際におけるズーム倍率に基づいて、ズームレンズをテレ端側に移動させる位置を決定し、その切替操作が受け付けられた際におけるズーム倍率と、その決定された位置にズームレンズが移動した後におけるズーム倍率とが略同一となるように電子ズーム処理を制御するとともに、その決定された位置にズームレンズを移動させるように制御するという作用をもたらす。
【発明の効果】
【００２２】
本発明によれば、音声とともに画像を記録する場合にノイズの記録を防止してユーザの好みのズーム操作を適切に行うことができるという優れた効果を奏し得る。
【図面の簡単な説明】
【００２３】
【図１】本発明の第１の実施の形態における撮像装置１００の外観構成を示す斜視図である。
【図２】本発明の第１の実施の形態における撮像装置１００の内部構成例を示すブロック図である。
【図３】本発明の第１の実施の形態におけるレンズ鏡筒部１１０の内部構成例と、光学ズーム位置との関係を示す図である。
【図４】本発明の第１の実施の形態における撮像素子１１７の撮像対象となる撮像範囲と、電子ズーム位置との関係を示す図である。
【図５】本発明の第１の実施の形態における撮像装置１００の機能構成例を示すブロック図である。
【図６】本発明の第１の実施の形態における制御部２６０により制御されるズーム倍率の遷移の一例を示す図である。
【図７】本発明の第１の実施の形態における制御部２６０により光学ズーム倍率および電子ズーム倍率が順次変更されている場合における撮像画像およびモニタリング画像の遷移の一例を示す図である。
【図８】本発明の第１の実施の形態における制御部２６０により光学ズーム倍率および電子ズーム倍率が順次変更されている場合における撮像画像およびモニタリング画像の遷移の一例を示す図である。
【図９】本発明の第１の実施の形態における表示部２７２に表示されるモニタリング画像の表示例を示す。
【図１０】本発明の第１の実施の形態における制御部２６０により光学ズーム倍率および電子ズーム倍率が順次変更されている場合における撮像画像およびモニタリング画像の遷移の一例を示す図である。
【図１１】本発明の第１の実施の形態における制御部２６０により制御されるズーム倍率の遷移の一例を示す図である。
【図１２】本発明の第１の実施の形態における制御部２６０により光学ズーム倍率および電子ズーム倍率が順次変更されている場合における撮像画像およびモニタリング画像の遷移の一例を示す図である。
【図１３】本発明の第１の実施の形態における制御部２６０により光学ズーム倍率および電子ズーム倍率が順次変更されている場合における撮像画像およびモニタリング画像の遷移の一例を示す図である。
【図１４】本発明の第１の実施の形態における撮像装置１００による撮像モード切替制御処理の処理手順を示すフローチャートである。
【図１５】本発明の第１の実施の形態における撮像装置１００による撮像モード切替制御処理の処理手順のうちの動画撮像モード切替処理を示すフローチャートである。
【図１６】本発明の第１の実施の形態における撮像装置１００による撮像モード切替制御処理の処理手順のうちの静止画撮像モード切替処理を示すフローチャートである。
【図１７】本発明の第２の実施の形態における撮像装置６００の機能構成例を示すブロック図である。
【図１８】本発明の第２の実施の形態における制御部２６０により光学ズーム倍率が順次変更されている場合における撮像画像およびモニタリング画像の遷移の一例を示す図である。
【図１９】本発明の第２の実施の形態における制御部２６０により光学ズーム倍率が順次変更されている場合における撮像画像およびモニタリング画像の遷移の一例を示す図である。
【図２０】本発明の第２の実施の形態における撮像装置６００による動画撮像モード切替処理の処理手順を示すフローチャートである。
【図２１】本発明の第２の実施の形態における撮像装置１００による静止画撮像モード切替処理の処理手順を示すフローチャートである。
【図２２】本発明の第２の実施の形態における光学ズーム処理部２３０による移動対象となる光学ズーム位置と、表示対象となるモニタリング画像との関係を模式的に示す図である。
【図２３】本発明の第２の実施の形態における撮像装置１００による動画撮像モード切替処理の処理手順を示すフローチャートである。
【図２４】本発明の第２の実施の形態における撮像装置１００による動画撮像モード切替処理の処理手順を示すフローチャートである。
【図２５】本発明の第３の実施の形態における制御部２６０により制御されるズーム倍率の遷移の一例を示す図である。
【図２６】本発明の第３の実施の形態における撮像装置１００による撮像モード切替制御処理の処理手順を示すフローチャートである。
【図２７】本発明の第３の実施の形態における撮像装置１００による撮像モード切替制御処理の処理手順のうちの動画撮像モード切替処理を示すフローチャートである。
【図２８】動画撮像モードへの切替操作が行われる直前における光学ズーム倍率と、この切替操作が行われた後にズームレンズを移動させる位置に対応するズーム倍率との関係を模式的に示す図である。
【図２９】本発明の第４の実施の形態における表示部２７２に表示されるモニタリング画像の表示例を示す。
【図３０】動画撮像モードへの切替操作が行われる直前における光学ズーム倍率と、この切替操作が行われた後に可能となる電子ズーム倍率との関係を模式的に示す図である。
【図３１】本発明の第４の実施の形態における表示部２７２に表示されるモニタリング画像の表示例を示す。
【発明を実施するための形態】
【００２４】
以下、本発明を実施するための形態（以下、実施の形態と称する）について説明する。説明は以下の順序により行う。
１．第１の実施の形態（ズーム制御：撮像モードの切替操作時における光学ズームおよび電子ズームの制御例）
２．第２の実施の形態（モニタリング画像の表示制御：撮像モードの切替操作時におけるモニタリング画像の表示例）
３．第３の実施の形態（ズーム制御：ズームレンズの移動中に動画の記録動作開始の指示操作が行われた場合における光学ズームおよび電子ズームの制御例）
４．第４の実施の形態（ズーム制御：撮像モードの切替操作時における光学ズームおよび電子ズームの変形例）
【００２５】
＜１．第１の実施の形態＞
［撮像装置の外観構成例］
図１は、本発明の第１の実施の形態における撮像装置１００の外観構成を示す斜視図である。図１（ａ）には、撮像動作状態の撮像装置１００の正面（すなわち、被写体に向けられるレンズ面）側の外観を示し、図１（ｂ）には、非撮像動作状態の撮像装置１００の正面側の外観を示す。ここで、撮像動作状態は、例えば、電源がオンされている状態を意味し、非撮像動作状態は、例えば、電源がオフされている状態を意味する。また、図１（ｃ）には、撮像装置１００の背面（すなわち、撮影者に向けられる表示部１０５の面）側の外観を示す。撮像装置１００は、カメラケース１０１と、電源ボタン１０２と、シャッターボタン（レリーズボタン）１０３と、レンズ鏡筒１０４と、表示部１０５と、ズームボタン１０６と、モード切替レバー１０７とを備える。撮像装置１００は、例えば、光学ズーム機能および電子ズーム機能を備え、静止画ファイルおよび動画ファイルを記録することが可能なデジタルスチルカメラ、デジタルビデオカメラ（例えば、カメラ一体型レコーダ）等により実現される。
【００２６】
カメラケース１０１は、撮像装置１００を構成する各機器を内蔵するカメラケースである。
【００２７】
電源ボタン１０２は、撮像装置１００の電源をオン／オフする場合に用いられる操作部材である。
【００２８】
シャッターボタン１０３は、画像信号処理回路１４２（図２に示す）により生成された画像データを静止画ファイル（静止画コンテンツ）または動画ファイル（動画コンテンツ）として記録媒体１６０（図２に示す）に記録する際に押下される操作部材である。
【００２９】
レンズ鏡筒１０４は、カメラケース１０１の正面側に装着され、光学系および撮像素子を収容するものである。なお、図１（ａ）では、撮像動作状態（鏡筒繰出し状態）のレンズ鏡筒１０４を示し、図１（ｂ）では、非撮像動作状態（鏡筒収納状態）のレンズ鏡筒１０４を示す。図１（ｂ）に示すように、非撮像動作状態では、レンズ鏡筒１０４の前面の略全体が、カメラケース１０１内に収納される。また、ズームボタン１０６により光学ズーム倍率を変更するズーム操作が行われた場合には、このズーム操作に応じて、レンズ鏡筒１０４が光軸方向に移動する。
【００３０】
表示部１０５は、各種の画像を表示する表示部である。例えば、静止画撮像モードまたは動画撮像モードが設定されている状態で、画像記録待機状態である場合には、画像信号処理回路１４２（図２に示す）により生成された画像データに対応する画像がモニタリング画像として表示部１０５に順次表示される。また、例えば、動画撮像モードが設定されている状態で動画記録中である場合も同様に、モニタリング画像が表示部１０５に順次表示される。ここで、静止画撮像モードは、画像信号処理回路１４２により生成された画像データを静止画ファイルとして記録するための撮像モードであり、画像を記録して音声を記録しない第１の画像撮像モードの一例である。また、動画撮像モードは、画像信号処理回路１４２により生成された画像データを動画ファイルとして記録するための撮像モードであり、画像とともに音声を記録する第２の画像撮像モードの一例である。このように、表示部１０５にモニタリング画像が表示されるため、撮像装置１００の撮像動作時において、その撮像範囲をユーザが容易に確認することができる。なお、表示部１０５として、例えば、ＬＣＤ（Liquid Crystal Display）パネルや有機ＥＬ（Electro Luminescence）パネルを用いることができる。また、表示部１０５として、例えば、使用者がその指を表示面に接触または近接することにより操作入力を行うことが可能なタッチパネルを用いるようにしてもよい。
【００３１】
ズームボタン１０６は、ズーム操作（ズーム倍率を調整する操作）を実行する際に用いられる操作部材である。例えば、図１（ｂ）に示すＷ（ワイド）ボタン（ワイド側ボタン）およびＴ（テレ）ボタン（テレ側ボタン）がズームボタン１０６として備えられている。例えば、ズームボタン１０６としてシーソー型操作部材を用いることができる。なお、ズームボタン１０６を用いたズーム操作については、図３、図４等を参照して詳細に説明する。
【００３２】
モード切替レバー１０７は、機能モードの切替操作を行う際に用いられるモード切替操作部材である。この機能モードとして、例えば、生成された画像データをファイル（コンテンツ）として記録するための撮像モードと、記録されている静止画ファイルまたは動画ファイルを再生するための再生モードとの何れかを設定することができる。また、撮像モードとして、生成された画像データを静止画ファイルとして記録するための静止画撮像モードと、生成された画像データを動画ファイルとして記録するための動画撮像モードとの何れかを設定することができる。
【００３３】
なお、操作部材としては、例えば、各種メニューを選択するメニューボタン、画面表示を切り替える表示切替ボタン等が撮像装置１００に設けられているが、これらの説明については省略する。
【００３４】
［撮像装置の内部構成例］
図２は、本発明の第１の実施の形態における撮像装置１００の内部構成例を示すブロック図である。撮像装置１００は、シャッターボタン１０３と、表示部１０５と、ズームボタン１０６と、モード切替レバー１０７と、レンズ鏡筒部１１０と、レンズ鏡筒制御回路１２１と、レンズ駆動部１２２と、レンズ位置検出回路１２３とを備える。また、撮像装置１００は、音声入力部１３１と、音声信号処理回路１３２と、前処理回路１４１と、画像信号処理回路１４２と、メモリ１４３と、電子ズーム回路１５０とを備える。また、撮像装置１００は、記録媒体１６０と、モニタ駆動回路１７０と、制御回路１８０と、ジャイロセンサ１９０とを備える。なお、シャッターボタン１０３と、表示部１０５と、ズームボタン１０６と、モード切替レバー１０７とは、図１に示すものと同一であるため、同一の符号を付してここでの詳細な説明を省略する。
【００３５】
レンズ鏡筒部１１０は、複数の光学レンズ、フォーカス機構、シャッタ機構、絞り（アイリス）機構等から構成される光学系と、この光学系を介して入射された光を光電変換する撮像素子とを備える。そして、レンズ鏡筒部１１０は、光電変換された電気信号（アナログ信号）を前処理回路１４１に出力する。なお、レンズ鏡筒部１１０は、図１に示すレンズ鏡筒１０４に対応する。また、レンズ鏡筒部１１０の内部構成については、図３を参照して詳細に説明する。
【００３６】
レンズ鏡筒制御回路１２１は、制御回路１８０から出力された制御信号に基づいて、レンズ駆動部１２２を駆動させる駆動制御信号を生成し、この駆動制御信号をレンズ駆動部１２２に出力するものである。また、レンズ鏡筒制御回路１２１は、レンズ位置検出回路１２３から出力された光学系の位置を制御回路１８０に出力する。すなわち、レンズ鏡筒制御回路１２１は、レンズ駆動部１２２を制御することにより光学ズーム処理を行う。
【００３７】
レンズ駆動部１２２は、レンズ鏡筒制御回路１２１から出力された駆動制御信号に応じて駆動（例えば、モータによる回転）することにより、レンズ鏡筒部１１０の光学系を動作させるものである。
【００３８】
レンズ位置検出回路１２３は、レンズ駆動部１２２により駆動された光学系の位置（例えば、ズームレンズの位置（ズームポジション））を検出するものであり、検出された位置をレンズ鏡筒制御回路１２１に出力する。
【００３９】
音声入力部１３１は、撮像装置１００の周囲の音声を収音して電気信号に変換するマイクロフォンであり、この電気信号を音声信号として音声信号処理回路１３２に出力する。
【００４０】
音声信号処理回路１３２は、音声入力部１３１から出力された音声信号に対して所定の信号処理を施すものであり、この信号処理が施された音声信号（音声データ）を画像信号処理回路１４２に出力する。
【００４１】
前処理回路１４１は、制御回路１８０の制御に基づいて、レンズ鏡筒部１１０から供給されるアナログ信号（画像データ）に対して、各種の前処理を行うものである。この前処理として、前処理回路１４１は、例えば、ＣＤＳ（Correlated Double Sampling）処理を行い、Ｓ／Ｎ（Signal/Noise）比を良好に保つようにする。また、ＡＧＣ（Automatic Gain Control）処理を行い、利得を制御する。そして、前処理回路１４１は、Ａ／Ｄ（Analog/Digital）変換を行い、アナログ信号をデジタル信号に変換し、この変換により得られたデジタル信号（画像データ）を画像信号処理回路１４２に供給する。
【００４２】
画像信号処理回路１４２は、制御回路１８０の制御に基づいて、前処理回路１４１から供給されるデジタル信号（画像データ）に対して、各種の画像処理を行うものである。画像信号処理回路１４２は、例えば、ＡＦ（Auto Focus）処理部、ＡＥ（Auto Exposure）処理部、ＡＷＢ（Auto White Balance）処理部、圧縮伸張部等を含む。そして、前処理回路１４１から供給された画像データに所定のカメラ信号処理を施し、このカメラ信号処理が施された画像データを所定の圧縮方式で圧縮する。また、画像信号処理回路１４２はメモリコントローラを含み、このメモリコントローラは、画像信号処理回路１４２が実行するプログラムや各種データに基づいてメモリ１４３を制御して、一時的にそれらのプログラムや各種データをメモリ１４３に記憶させる。なお、画像信号処理回路１４２として、例えば、専用のＩＣ（Integrated Circuit）である専用ＤＳＰ（Digital Signal Processor）または汎用ＤＳＰ等を用いることができる。
【００４３】
メモリ１４３は、画像信号処理回路１４２のメモリコントローラの制御に基づいて、画像信号処理回路１４２が実行するプログラムや各種データ等を適宜記憶するメモリである。例えば、画像信号処理回路１４２が前処理回路１４１から供給される画像データを一時的に記憶する。これにより、画像信号処理回路１４２は、その一時的に記憶された画像データに対して所定のカメラ信号処理および画像データの圧縮処理を施し、圧縮された画像データを生成する。メモリ１４３として、例えば、ＳＤＲＡＭ（Synchronous Dynamic Random Access Memory）を用いることができる。
【００４４】
具体的には、メモリ１４３に記憶される前処理回路１４１から供給された画像データに対して、画像信号処理回路１４２のＡＦ処理部は、被写体に焦点（ピント）を合わせる処理（いわゆる、オートフォーカス）を行う。また、画像信号処理回路１４２のＡＥ処理部は、被写体の明るさに基づいて露出を決定する処理（いわゆる、自動露出）を行う。また、画像信号処理回路１４２のＡＷＢ処理部は、白色である予め定められた基準の色に基づいて全体の画像データを補正する処理（いわゆる、ホワイトバランス）を行う。また、画像信号処理回路１４２の圧縮伸張部は、所定のカメラ信号処理により、種々の調整がされた画像データを所定の圧縮方式で圧縮する。この圧縮伸張部は、例えば、画像データをＪＰＥＧ（Joint Photographic Experts Group）方式で圧縮する。そして、画像信号処理回路１４２は、圧縮された画像データをメモリ１４３から読み出し、この画像データを記録媒体１６０に記録させる。これにより、画像データのデータ量を減らしてから、画像データを記録媒体１６０に記録させることができる。また、画像信号処理回路１４２は、動画データを記録媒体１６０に記録させる場合には、例えば、音声信号処理回路１３２から出力された音声データを所定の圧縮方式により圧縮する。そして、この圧縮された音声データと、メモリ１４３から読み出された圧縮された画像データとを多重化して動画ファイルとして記録媒体１６０に記録させる。
【００４５】
また、画像信号処理回路１４２は、各操作部材を用いて行われたユーザからの操作入力に応じて、画像データが記録媒体１６０から読み出された場合、その画像データに対して所定の伸張処理（解凍処理）を行う。すなわち、画像信号処理回路１４２の圧縮伸張部は、記録媒体１６０から供給される圧縮されている画像データを、その圧縮の方式に応じた所定の伸張処理を行うことにより、その画像データを伸張する。そして、画像信号処理回路１４２は、その伸張された画像データを、モニタ駆動回路１７０に供給する。
【００４６】
電子ズーム回路１５０は、画像信号処理回路１４２により生成された画像データについて電子ズーム（デジタルズーム）処理を連続的に行うものであり、電子ズーム処理された画像データを画像信号処理回路１４２に出力する。
【００４７】
記録媒体１６０は、画像信号処理回路１４２から供給された画像データを記録する記録媒体である。この記録媒体１６０は、撮像装置１００に内蔵するようにしてもよく、着脱可能に撮像装置１００に装着されるようにしてもよい。記録媒体１６０として、例えば、テープ（例えば、磁気テープ）、光ディスク（例えば、記録可能なＤＶＤ（Digital Versatile Disc））を用いることができる。また、記録媒体１６０として、例えば、磁気ディスク（例えば、ハードディスク）、半導体メモリ（例えば、メモリカード）、光磁気ディスク（例えば、ＭＤ（MiniDisc））を用いるようにしてもよい。
【００４８】
モニタ駆動回路１７０は、画像信号処理回路１４２から供給される画像データに基づいて、表示部１０５に画像を表示させるための画像信号を生成し、この生成された画像信号を表示部１０５に供給するものである。すなわち、モニタ駆動回路１７０は、画像信号を表示部１０５に供給することにより、表示部１０５の表示を制御する。
【００４９】
制御回路１８０は、マイクロコンピュータ（ＣＰＵ（Central Processing Unit））を有する演算回路等を備え、内蔵するメモリに記憶されているプログラムに基づいて、撮像装置１００の各部の動作を制御するものである。また、制御回路１８０は、シャッターボタン１０３、ズームボタン１０６およびモード切替レバー１０７から供給される操作信号や、ジャイロセンサ１９０から供給される姿勢情報に基づいて、撮像装置１００の各部の動作を制御する。
【００５０】
ジャイロセンサ１９０は、撮像装置１００に加えられた加速度、動き、傾き等を検出するジャイロセンサであり、検出された各情報を姿勢情報として制御回路１８０に出力する。例えば、ジャイロセンサ１９０により検出された角速度等に基づいて、パンニングやチルティング等の撮像装置１００の動きを検出することができる。
【００５１】
［光学ズームの倍率可変範囲例］
図３は、本発明の第１の実施の形態におけるレンズ鏡筒部１１０の内部構成例と、光学ズーム位置との関係を示す図である。図３（ａ）には、レンズ鏡筒部１１０の内部構成例を示す。レンズ鏡筒部１１０は、ズームレンズ群１１１と、フォーカスレンズ群１１４と、絞り１１６と、撮像素子１１７とを備える。
【００５２】
ズームレンズ群１１１は、光学的にズーム機能を実現するための複数のレンズにより構成される。ズームレンズ群１１１に含まれる各レンズが、レンズ鏡筒制御回路１２１の制御に基づいてレンズ駆動部１２２により光軸方向に移動され、この移動により焦点距離が変更される。すなわち、光学ズーム倍率が変更される。なお、図３（ａ）では、説明を容易にするため、ズームレンズ群１１１を構成する複数のレンズを簡略化して、２つのレンズ１１２および１１３のみを示す。
【００５３】
フォーカスレンズ群１１４は、フォーカス機能を実現するための複数のレンズにより構成される。フォーカスレンズ群１１４に含まれる各レンズが、レンズ鏡筒制御回路１２１の制御に基づいてレンズ駆動部１２２により光軸方向に移動され、この移動によりフォーカス（ピント）が調整される。なお、図３（ａ）では、説明を容易にするため、フォーカスレンズ群１１４を構成する複数のレンズを簡略化して、１つのレンズ１１５のみを示す。
【００５４】
絞り１１６は、レンズ鏡筒制御回路１２１の制御に基づいてレンズ駆動部１２２により開閉されることにより、ズームレンズ群１１１およびフォーカスレンズ群１１４に含まれる複数のレンズを通過する光の量（すなわち、露出）を調整するものである。
【００５５】
ここで、ズームレンズ群１１１およびフォーカスレンズ群１１４に含まれる複数のレンズは、被写体からの光を集光するレンズであり、入射された被写体からの光がこれらのレンズを介して撮像素子１１７に供給される。また、レンズ駆動部１２２により駆動された各レンズの位置が、レンズ位置検出回路１２３により検出され、検出された各位置がレンズ鏡筒制御回路１２１に出力される。
【００５６】
撮像素子１１７は、ズームレンズ群１１１およびフォーカスレンズ群１１４に含まれる複数のレンズを介して入射された光を光電変換することにより、光信号をアナログの電気信号（アナログ信号）に変換するものである。また、撮像素子１１７は、光電変換された電気信号を前処理回路１４１に出力する。なお、撮像素子１１７として、ＣＣＤ（Charge Coupled Device）またはＣＭＯＳ（Complementary Metal-Oxide Semiconductor）等を用いることができる。
【００５７】
図３（ｂ）には、ズームレンズ群１１１に含まれる複数のレンズの位置（光学ズーム位置）を模式的に示す。図３（ｂ）において、ズームレンズ群１１１に含まれる複数のレンズの光軸方向における動作範囲をズームレンズ動作範囲３００とし、ズームレンズ動作範囲３００の両端をワイド端３０１およびテレ端３０２として示す。また、ズームレンズ動作範囲３００において、ズームレンズ群１１１に含まれる複数のレンズの位置を光学ズーム位置３０３として楕円により模式的に示す。光学ズーム位置３０３は、例えば、ユーザによるズームボタン１０６を用いたズーム操作に応じて、ズームレンズ動作範囲３００上を移動する。本発明の第１の実施の形態では、光学ズーム位置３０３がワイド端３０１に存在する場合には、光学ズーム倍率が１．０倍となるものとし、光学ズーム位置３０３がテレ端３０２に存在する場合には、光学ズーム倍率が４．０倍となるものとする。
【００５８】
ここで、ズームレンズの位置と、画角と、焦点距離と、光学ズーム倍率とは、互いに対応するものであり、何れかを特定することにより他の各値を特定することができる。このため、以下では、光学ズーム位置について説明する場合には、これらの何れかを用いて説明するが、他の各値についても特定することができるものとする。
【００５９】
［電子ズームの倍率可変範囲例］
図４は、本発明の第１の実施の形態における撮像素子１１７の撮像対象となる撮像範囲と、電子ズーム位置との関係を示す図である。図４（ａ）には、撮像素子１１７により撮像対象となる撮像範囲３１０を矩形で模式的に示す。撮像範囲３１０は、例えば、撮像素子１１７に結像される画像（撮像画像）の最大範囲であり、この例では、撮像範囲３１０の水平方向における長さをＷ１とし、垂直方向の長さをＨ１とする。
【００６０】
ここで、電子ズーム回路１５０が撮像範囲３１０に含まれる被写体を拡大させる拡大処理を行う場合には、撮像範囲３１０に含まれる画像について取出範囲を狭くする。すなわち、撮像範囲３１０に含まれる画像の一部分を電子的な画像処理により拡大させることにより、撮像範囲３１０に含まれる被写体を拡大させる。このように拡大処理を行う際における拡大率（電子ズーム倍率）は、例えば、ユーザによるズームボタン１０６を用いたズーム操作に応じて決定される。例えば、撮像範囲３１０における取出範囲を取出範囲３１１とした場合には、撮像範囲３１０に含まれる画像のうち、取出範囲３１１に含まれる画像が取り出され、この取出範囲３１１に含まれる画像が表示対象画像または記録対象画像として出力される。ここで、例えば、取出範囲３１１の水平方向における長さをＷ２とし、垂直方向の長さをＨ２とする場合に、撮像範囲３１０の水平方向における長さＷ１と、取出範囲３１１の水平方向における長さＷ２との比（すなわち、Ｗ１／Ｗ２）が電子ズーム倍率とされる。
【００６１】
図４（ｂ）には、撮像範囲３１０に含まれる画像３１２と、取出範囲３１１に含まれる画像３１３とを示す。ここで、撮像範囲３１０に含まれる被写体は、光学ズーム位置（ズームレンズの位置）に応じて、その大きさが変更される。しかしながら、光学ズーム位置が同一であっても、図４（ｂ）に示すように、電子的な画像処理により、撮像範囲３１０に含まれる画像を拡大処理して表示または記録することができる。
【００６２】
図４（ｃ）には、電子ズーム倍率に対応する電子ズーム位置を模式的に示す。図４（ｃ）において、電子ズーム倍率が可能な範囲を電子ズーム範囲３２０とし、電子ズーム範囲３２０の両端をワイド端３２１およびテレ端３２２として示す。また、電子ズーム範囲３２０において、電子ズーム処理時における電子ズーム倍率に対応する位置を電子ズーム位置３２３として六角形により模式的に示す。本発明の第１の実施の形態では、電子ズーム倍率は、１．０倍から４．０倍に変更可能であるものとする。すなわち、電子ズーム範囲３２０におけるワイド端３２１は、電子ズーム処理によるズーム倍率が１．０倍となる場合に対応し、電子ズーム範囲３２０におけるテレ端３２２は、電子ズーム処理によるズーム倍率が４．０倍となる場合に対応する。例えば、電子ズーム倍率が１．０倍の場合には、撮像範囲と取出範囲とが同じ大きさとなる。すなわち、撮像素子１１７における撮像範囲に含まれる画像全体が取出範囲となる。また、電子ズーム倍率が４．０倍の場合には、取出範囲の水平方向における長さが、撮像範囲の水平方向における長さの１／４となる。このように、撮像装置１００は、光学ズーム処理および電子ズーム処理によるズーム処理が可能であるため、光学ズーム位置３０３がテレ端３０２に存在する場合でも、電子ズーム処理によりさらに拡大処理することが可能である。例えば、本発明の第１の実施の形態では、光学ズーム倍率が１．０倍から４．０倍まで変更可能であり、電子ズーム倍率が１．０倍から４．０倍まで変更可能である。このため、光学ズーム処理および電子ズーム処理の双方を用いたズーム処理では、１．０倍から１６．０（４．０×４．０）倍まで変更可能となる。
【００６３】
ここで、電子ズーム処理は、撮像素子１１７における撮像範囲に含まれる画像について取出範囲を狭くすることによりその画像に含まれる被写体を拡大する処理である。このため、電子ズーム処理では、光学レンズにより撮像素子１１７に入力される画像よりも広い範囲の画像を得ることはできない。また、光学ズーム処理および電子ズーム処理の双方を用いる場合におけるズーム倍率は、図３（ｂ）に示す光学ズーム位置３０３に応じて制限される。
【００６４】
例えば、図３（ｂ）に示す光学ズーム位置３０３がワイド端３０１に存在する状態では、光学ズーム処理および電子ズーム処理の組合せにより得られるズーム倍率の下限値は制限されない。すなわち、光学ズーム処理および電子ズーム処理の組合せにより得られるズーム倍率は、１．０倍から４．０倍まで変更可能である。一方、図３（ｂ）に示す光学ズーム位置３０３がワイド端３０１に存在しない状態では、光学ズーム処理および電子ズーム処理の組合せにより得られるズーム倍率は、光学ズーム倍率以下の倍率には変更することができない。例えば、光学ズーム倍率が２．０倍である場合には、撮像範囲３１０に含まれる画像は、光学ズーム処理により２．０倍に拡大処理された画像である。このため、光学ズーム倍率が２．０倍である場合には、撮像範囲３１０に含まれる画像について、電子ズーム処理によりズーム倍率（電子ズーム倍率および光学ズーム倍率）２．０倍未満に縮小処理することはできない。
【００６５】
ここで、ズームボタン１０６を用いたズーム操作について説明する。例えば、静止画撮像モードが設定されている場合において、Ｗボタンが押下されている状態では、レンズ駆動部１２２によりズームレンズが駆動され、ズームレンズがワイド端側（広角側）に移動する。すなわち、図３（ｂ）に示す光学ズーム位置３０３が、ワイド端３０１側に移動する。一方、Ｔボタンが押下されている状態では、レンズ駆動部１２２によりズームレンズが駆動され、ズームレンズがテレ端側（望遠側）に移動する。すなわち、図３（ｂ）に示す光学ズーム位置３０３が、テレ端３０２側に移動する。また、ズームレンズの駆動に応じて、レンズ鏡筒１０４が光軸方向に駆動される。このように、静止画撮像モードが設定されている場合には、ズームボタン１０６を操作することにより、ワイド端からテレ端までズームレンズを駆動させることができるため、ワイド端からテレ端までの範囲内の任意の位置で画角を設定することができる。
【００６６】
また、動画撮像モードが設定されている場合には、ズームレンズの駆動音等が動画とともに記録されることを防止するため、ズームレンズを駆動させず、電子ズーム処理によりズーム倍率の変更が行われる。例えば、動画撮像モードが設定されている場合において、Ｗボタンが押下されている状態では、電子ズーム回路１５０によりＷボタンの押下状態に応じて電子ズーム処理が行われる。すなわち、図４（ｃ）に示す電子ズーム位置３２３が、ワイド端３２１側に移動する。一方、Ｔボタンが押下されている状態では、電子ズーム回路１５０によりＴボタンの押下状態に応じて電子ズーム処理が行われる。すなわち、図４（ｃ）に示す電子ズーム位置３２３が、テレ端３２２側に移動する。この場合に、ズームレンズが駆動されないため、レンズ鏡筒１０４も駆動されない。
【００６７】
なお、静止画撮像モードから動画撮像モードへの切替操作があった場合、および、動画撮像モードから静止画撮像モードへの切替操作があった場合におけるズーム処理については、図６乃至図１３等を参照して詳細に説明する。
【００６８】
［撮像装置の機能構成例］
図５は、本発明の第１の実施の形態における撮像装置１００の機能構成例を示すブロック図である。撮像装置１００は、撮像部２１０と、電子ズーム処理部２２０と、光学ズーム処理部２３０と、操作受付部２４０と、制御部２６０と、ズーム位置情報保持部２５０と、表示制御部２７１と、表示部２７２と、記録制御部２８１と、記録部２８２とを備える。
【００６９】
撮像部２１０は、被写体を撮像して画像を生成するものであり、生成された画像を電子ズーム処理部２２０、表示制御部２７１および記録制御部２８１に出力する。また、光学ズーム処理部２３０によりズームレンズが移動されることにより、撮像部２１０により生成される画像について光学ズーム処理が行われる。なお、撮像部２１０は、図２に示すレンズ鏡筒部１１０、前処理回路１４１および画像信号処理回路１４２に対応する。
【００７０】
電子ズーム処理部２２０は、制御部２６０の制御に基づいて、撮像部２１０から出力された画像について電子ズーム処理を行うものであり、この電子ズーム処理が施された画像を表示制御部２７１および記録制御部２８１に出力する。また、電子ズーム処理部２２０は、電子ズーム処理によるズーム倍率（電子ズーム位置）を制御部２６０に出力する。なお、電子ズーム処理部２２０は、図２に示す電子ズーム回路１５０に対応する。
【００７１】
光学ズーム処理部２３０は、制御部２６０の制御に基づいて、撮像部２１０におけるズームレンズを移動させることにより撮像部２１０により生成される画像について光学ズーム処理を行うものである。また、光学ズーム処理部２３０は、撮像部２１０におけるズームレンズの位置（光学ズーム位置）を検出し、この検出されたズームレンズの位置を制御部２６０に出力する。なお、光学ズーム処理部２３０は、図２に示すレンズ鏡筒制御回路１２１、レンズ駆動部１２２およびレンズ位置検出回路１２３に対応する。
【００７２】
操作受付部２４０は、ユーザからの操作入力を受け付ける操作受付部であり、受け付けられた操作入力に応じた操作内容を制御部２６０に出力する。なお、操作受付部２４０は、図１および図２に示すシャッターボタン１０３、ズームボタン１０６およびモード切替レバー１０７に対応する。また、操作受付部２４０は、特許請求の範囲に記載の切替操作受付部および指示操作受付部の一例である。
【００７３】
ズーム位置情報保持部２５０は、静止画撮像モードから動画撮像モードへの切替操作、または、動画画撮像モードから静止画撮像モードへの切替操作が操作受付部２４０により受け付けられた際におけるズーム位置情報を保持するものである。また、ズーム位置情報保持部２５０は、保持されているズーム位置情報を制御部２６０に供給する。例えば、静止画撮像モードから動画撮像モードへの切替操作が操作受付部２４０により受け付けられた場合には、制御部２６０が、光学ズーム処理部２３０から光学ズーム位置を取得する。そして、この取得された光学ズーム位置をズーム位置情報としてズーム位置情報保持部２５０に保持させる。また、例えば、動画撮像モードから静止画撮像モードへの切替操作が操作受付部２４０により受け付けられた場合には、制御部２６０が、電子ズーム処理部２２０から電子ズーム位置を取得する。そして、この取得された電子ズーム位置をズーム位置情報としてズーム位置情報保持部２５０に保持させる。なお、ズーム位置情報保持部２５０は、図２に示す制御回路１８０に対応する。
【００７４】
制御部２６０は、撮像装置１００全体の制御を行うものである。例えば、制御部２６０は、操作受付部２４０により受け付けられたユーザからの操作入力に応じた制御を行う。また、制御部２６０は、静止画撮像モードから動画撮像モードへの切替操作が操作受付部２４０により受け付けられた場合には、その切替操作時における光学ズーム位置をズーム位置情報保持部２５０に保持させる。そして、制御部２６０は、撮像部２１０におけるズームレンズをワイド端側へ移動させる制御を光学ズーム処理部２３０に対して行う。また、その移動とともに、その切替操作時におけるズーム倍率と同一となるように電子ズーム倍率を変更させる制御を電子ズーム処理部２２０に対して行う。また、制御部２６０は、動画撮像モードから静止画撮像モードへの切替操作が操作受付部２４０により受け付けられた場合には、その切替操作時における電子ズーム位置をズーム位置情報保持部２５０に保持させる。そして、制御部２６０は、撮像部２１０におけるズームレンズをテレ端側へ移動させる制御を光学ズーム処理部２３０に対して行う。また、その移動とともに、その切替操作時におけるズーム倍率と同一となるように電子ズーム倍率を変更させる制御を電子ズーム処理部２２０に対して行う。なお、これらの撮像モード切替処理については、図図６乃至図１３等を参照して詳細に説明する。なお、制御部２６０は、図２に示す制御回路１８０に対応する。
【００７５】
表示制御部２７１は、制御部２６０の制御に基づいて、撮像部２１０または電子ズーム処理部２２０から出力された画像をモニタリング画像として表示部２７２に表示させるものである。なお、表示制御部２７１は、図２に示す画像信号処理回路１４２およびモニタ駆動回路１７０に対応する。
【００７６】
表示部２７２は、表示制御部２７１の制御に基づいて、撮像部２１０または電子ズーム処理部２２０から出力された画像をモニタリング画像として表示するものである。なお、表示部２７２は、図１および図２に示す表示部１０５に対応する。
【００７７】
記録制御部２８１は、制御部２６０の制御に基づいて、撮像部２１０または電子ズーム処理部２２０から出力された画像を動画ファイルまたは静止画ファイルとして記録部２８２に記録させるものである。なお、記録制御部２８１は、図２に示す画像信号処理回路１４２に対応する。
【００７８】
記録部２８２は、記録制御部２８１の制御に基づいて、撮像部２１０または電子ズーム処理部２２０から出力された画像を動画ファイルまたは静止画ファイルとして記録するものである。なお、記録部２８２は、図２に示す記録媒体１６０に対応する。
【００７９】
［光学ズームおよび電子ズームの制御例］
図６は、本発明の第１の実施の形態における制御部２６０により制御されるズーム倍率の遷移の一例を示す図である。図６（ａ）には、光学ズーム倍率の遷移を示し、図６（ｂ）には、ズーム倍率（光学ズーム倍率および電子ズーム倍率）の遷移を示す。
【００８０】
図６（ａ）および（ｂ）に示すグラフにおいて、横軸は時間軸を示し、縦軸はズーム倍率を示す。また、図６（ａ）に示すズーム倍率の遷移は、光学ズーム処理による光学ズーム倍率の遷移であるのに対し、図６（ｂ）に示すズーム倍率の遷移は、光学ズーム処理および電子ズーム処理の組合せにより得られるズーム倍率の遷移であるものとする。
【００８１】
例えば、静止画撮像モードから動画撮像モードへの切替操作がユーザによりモード切替レバー１０７を用いて行われた場合には、この切替操作が受け付けられた際における光学ズーム位置を光学ズーム処理部２３０から制御部２６０が取得する。そして、制御部２６０が、その取得された光学ズーム位置（ズーム位置情報）をズーム位置情報保持部２５０に保持させる。続いて、光学ズーム処理部２３０が、制御部２６０の制御に基づいて、光学ズーム位置３０３をワイド端３０１側に移動させる処理を行う。この光学ズーム位置３０３の移動とともに、電子ズーム処理部２２０が、制御部２６０の制御に基づいて、撮像部２１０から出力された撮像画像の画角が一定となるように電子ズームによる拡大処理を行う。
【００８２】
例えば、図６（ａ）および（ｂ）に示すグラフの横軸において、動画撮像モードへの切替操作が行われた時刻を時刻ｔ１とし、光学ズーム位置３０３がワイド端３０１に到達した時刻を時刻ｔ２とする。例えば、動画撮像モードへの切替操作が行われる直前の光学ズーム位置３０３は、光学ズーム倍率「２．８倍」に対応する位置であったものとする。この状態で動画撮像モードへの切替操作が時刻ｔ１で行われると、図６（ａ）に示すように、光学ズーム位置３０３が、光学ズーム倍率「２．８倍」に対応する位置から光学ズーム倍率「１．０倍」に対応する位置まで遷移する。この光学ズーム倍率「１．０倍」に対応する位置は、図３（ｂ）に示すワイド端３０１の位置である。このように、光学ズーム処理部２３０が、制御部２６０の制御に基づいて、光学ズーム位置３０３をワイド端３０１側に移動させる。
【００８３】
ここで、光学ズーム位置３０３をワイド端３０１に移動させ、電子ズーム倍率を変更しない場合を考える。この場合には、ズームレンズの移動により撮像範囲が拡大されるため、この拡大に応じて撮像部２１０により撮像画像が順次生成される。このため、例えば、時刻ｔ１において表示部２７２に表示されるモニタリング画像と、時刻ｔ２において表示部２７２に表示されるモニタリング画像とに含まれる被写体の大きさが異なり、ユーザが違和感を覚えることが想定される。そこで、本発明の第１の実施の形態では、光学ズーム位置３０３の移動に応じて、電子ズーム位置３２３を移動させることにより、光学ズーム処理および電子ズーム処理の組合せにより得られるズーム倍率が略一定となるように制御する。
【００８４】
例えば、時刻ｔ１で動画撮像モードへの切替操作が行われると、光学ズーム位置３０３の移動に応じて光学ズーム倍率が１．０倍まで遷移するため、この遷移に応じて、電子ズーム倍率を遷移させる。例えば、動画撮像モードへの切替操作が行われる直前の光学ズーム位置３０３が、光学ズーム倍率「２．８倍」に対応する位置であるため、この位置をズーム位置情報保持部２５０が保持する。そして、図６（ｂ）に示すように、光学ズーム処理および電子ズーム処理の組合せにより得られるズーム倍率が２．８倍となるように制御部２６０が電子ズーム処理部２２０を制御する。例えば、光学ズーム処理および電子ズーム処理の組合せにより得られるズーム倍率は、光学ズーム倍率と電子ズーム倍率との乗算により求めることができる。例えば、光学ズーム位置３０３がワイド端３０１の位置まで移動する間に、光学ズーム位置３０３が、光学ズーム倍率「１．４倍」に対応する位置となっている状態を想定する。この状態では、電子ズーム倍率を２．０倍とすることにより、光学ズーム処理および電子ズーム処理の組合せにより得られるズーム倍率が２．８（１．４×２．０）倍となる。このように、制御部２６０は、光学ズーム位置３０３の移動に応じて、ズーム倍率を一定とするための電子ズーム倍率を算出し、この算出された電子ズーム倍率となるように、電子ズーム処理部２２０を制御する。また、例えば、光学ズーム位置３０３がワイド端３０１の位置まで移動した後に、動画記録の開始指示操作が行われる（例えば、時刻ｔ３）。なお、図６（ｂ）に示す点線（光学ズーム３３０）は、図６（ａ）に示すものと同一である。
【００８５】
また、図６（ａ）および（ｂ）に示すグラフでは、説明の容易のため、光学ズーム３３０の遷移を経過時間に比例して直線で示すが、光学ズーム３３０の遷移は経過時間に比例しなくてもよい。また、図６（ｂ）では、説明の容易のため、光学ズーム処理および電子ズーム処理の組合せにより得られるズーム倍率を同一として直線３３１で示す。ただし、光学ズーム処理および電子ズーム処理の組合せにより得られるズーム倍率が略同一となるように遷移させるようにしてもよい。また、ズームレンズの移動速度に関しては、例えば、通常時におけるズームレンズの移動速度のうち、最も早い速度とすることができる。これにより、動画撮像モードへの切替操作が行われた後、迅速に電子ズームを用いたズーム操作を行うことができる。
【００８６】
［光学ズーム位置の遷移の際における表示例］
図７および図８は、本発明の第１の実施の形態における制御部２６０により光学ズーム倍率および電子ズーム倍率が順次変更されている場合における撮像画像およびモニタリング画像の遷移の一例を示す図である。図７および図８における左側には、光学ズーム位置３０３の変更による撮像素子１１７に結像される画像（撮像画像）の遷移と、電子ズーム位置３２３の変更による撮像画像の取出領域の遷移とを示す。なお、各撮像画像の下側には、図３（ｂ）および図４（ｃ）と同様に、光学ズーム位置３０３および電子ズーム位置３２３を模式的示す。図７および図８における右側には、光学ズーム倍率および電子ズーム倍率が順次変更されている場合におけるモニタリング画像の遷移を示す。なお、この例では、動画撮像モードへの切替操作が行われてから、光学ズーム位置３０３がワイド端３０１に到達するまでの間、撮像装置１００の姿勢変更（パンニング、チルチング等）がない場合について説明する。
【００８７】
例えば、図７（ａ）に示す画像４０１は、動画撮像モードへの切替操作が行われる直前に撮像素子１１７に結像されていた画像であるものとする。この場合における光学ズーム倍率を２．８倍とする。この状態で動画撮像モードへの切替操作が行われた場合には、光学ズーム位置３０３がワイド端３０１側に移動するため、この移動に応じて撮像素子１１７に結像される画像に含まれる被写体の撮像範囲が拡大される。すなわち、撮像素子１１７に結像される画像に含まれる被写体が縮小される。例えば、光学ズーム位置３０３のワイド端３０１側への移動に応じて、図７（ｂ）、図８（ａ）および（ｂ）に示す画像４０２乃至４０４が順次生成される。例えば、画像４０２は、光学ズーム倍率「２．２倍」により光学ズーム処理がされた画像であり、画像４０３は、光学ズーム倍率「１．６倍」により光学ズーム処理がされた画像であるものとする。また、画像４０４は、光学ズーム位置３０３がワイド端３０１に到達した際に生成された画像であるものとする（すなわち、光学ズーム倍率「１．０倍」の画像）。
【００８８】
このように光学ズーム位置３０３のワイド端３０１側への移動に応じて生成された画像４０２乃至４０４について、ズーム倍率が略同一となるように、電子ズーム倍率が算出される。例えば、画像４０２は、光学ズーム倍率「２．２倍」により光学ズーム処理がされた画像であるため、電子ズーム倍率「１・２７倍」が算出される。また、例えば、画像４０３は、光学ズーム倍率「１．６倍」により光学ズーム処理がされた画像であるため、電子ズーム倍率「１・７５倍」が算出される。また、例えば、画像４０４は、光学ズーム倍率「１．０倍」の画像であるため、電子ズーム倍率「２・８倍」が算出される。このように算出された電子ズーム倍率に基づいて、電子ズーム処理部２２０が、撮像部２１０により生成された画像について電子ズーム処理を行う。例えば、図７（ｂ）に示すように、画像４０２において取出範囲４１２に含まれる画像が取り出され、モニタリング画像４２２として表示部２７２に表示される。また、例えば、図８（ａ）に示すように、画像４０３において取出範囲４１３に含まれる画像が取り出され、モニタリング画像４２３として表示部２７２に表示される。また、例えば、図８（ｂ）に示すように、取出範囲４１４に含まれる画像が取り出され、モニタリング画像４２４として表示される。また、光学ズーム位置３０３がワイド端３０１に到達した後（すなわち、光学ズーム倍率「１．０倍」となった後）には、電子ズーム処理によるズーム処理のみが行われる。なお、図８（ａ）および（ｂ）に示す画像４０３および４０４における点線４１２および４１３は、取出範囲の軌跡を示す。
【００８９】
図７および図８に示すように、光学ズーム位置３０３のワイド端３０１への移動により、撮像素子１１７に結像される画像４０１乃至４０４が順次変更される。このように変更される場合でも、電子ズーム位置３２３のテレ端３２２側への移動により、表示部２７２に表示されるモニタリング画像４２１乃至４２４のズーム倍率を同一とすることができる。
【００９０】
図９は、本発明の第１の実施の形態における表示部２７２に表示されるモニタリング画像の表示例を示す。
【００９１】
図９（ａ）には、動画撮像モードへの切替操作が行われる直前に表示部２７２に表示されていたモニタリング画像４３０を示す。モニタリング画像４３０は、光学ズーム倍率「２．８倍」により光学ズーム処理がされた画像である。図９（ｂ）には、動画撮像モードへの切替操作が行われた後に、光学ズーム位置３０３がワイド端３０１に到達した直後に表示部２７２に表示されるモニタリング画像４４０を示す。モニタリング画像４４０は、電子ズーム倍率「２．８倍」により電子ズーム処理がされた画像である。
【００９２】
ここで、モニタリング画像４３０および４４０にはズームバー４３１が重ねて表示される。ズームバー４３１は、ワイド（Ｗ）端４３２からテレ（Ｔ）端４３３までのズーム範囲内において、現在のズーム倍率を表示する棒状の表示領域である。ズームバー４３１は、ユーザがズーム操作を行う際にズーム位置の確認のために使用される。ズーム倍率位置４３４は、現在のズーム倍率の位置を示す標識であり、図９では、ズーム倍率位置４３４を斜線で示す。また、ズームバー４３１の下側には、現在のズーム倍率を示す数値が表示されるズーム倍率表示領域４３５が設けられている。例えば、ズーム倍率が２．８倍の場合には、ズーム倍率表示領域４３５に「×２．８」が表示される。なお、ズーム倍率表示領域４３５に表示される数値と、ズーム倍率位置４３４のズーム範囲における位置とは対応する。すなわち、ズーム倍率が「２．８倍」である場合には、図９に示すように、ズーム倍率表示領域４３５に「×２．８」が表示され、ズーム倍率「２．８倍」を示す位置にズーム倍率位置４３４が表示される。
【００９３】
このように、モニタリング画像４３０およびモニタリング画像４４０は、ズーム倍率「２．８倍」によりズーム処理がされた画像とすることにより、同一の被写体が含まれることになる。ただし、図９（ａ）に示すモニタリング画像４３０は、光学ズーム処理によりズーム倍率「２．８倍」とされた画像であるのに対し、図９（ｂ）に示すモニタリング画像４４０は、電子ズーム処理によりズーム倍率「２．８倍」とされた画像である。このため、画像の解像度等が異なることになるものの、略同一の被写体を同じ大きさで表示させることができる。このように、光学ズーム位置３０３のワイド端３０１への移動の前後において、略同一の被写体を含むモニタリング画像を表示部２７２に表示させることができる。このため、動画撮像モードへの切替操作が行われた際に、ユーザが表示部２７２に表示されているモニタリング画像を見ている場合でも、同一の被写体が同じ大きさで表示されるため、違和感を覚えることが少ない。また、動画撮像モードへの切替操作の前後で同一のズーム倍率からズーム操作を行うことができるため、ユーザの好みに応じたズーム操作を容易に迅速に行うことができる。
【００９４】
図１０は、本発明の第１の実施の形態における制御部２６０により光学ズーム倍率および電子ズーム倍率が順次変更されている場合における撮像画像およびモニタリング画像の遷移の一例を示す図である。図１０（ａ）には、光学ズーム位置３０３の変更による撮像素子１１７に結像される画像（撮像画像）の遷移と、電子ズーム位置３２３の変更による撮像画像の取出領域の遷移とを示す。図１０（ｂ）には、光学ズーム倍率および電子ズーム倍率が順次変更されている場合におけるモニタリング画像の遷移を示す。なお、この例では、動画撮像モードへの切替操作が行われてから、光学ズーム位置３０３がワイド端３０１に到達するまでの間、撮像装置１００の姿勢変更（例えば、パンニング）があった場合について説明する。また、この例は、図７および図８の変形例であり、各画像に含まれる被写体と、各画像に含まれる被写体が撮像装置１００の姿勢変更により画像内を移動する点とが、図７および図８に示す例と異なる。このため、図７および図８に示す例と共通する部分についての一部の図示および説明は省略する。
【００９５】
例えば、画像４５１は、動画撮像モードへの切替操作が行われる直前に撮像素子１１７に結像されていた画像であり、画像４５５は、光学ズーム位置３０３がワイド端３０１に到達した際に生成された画像であるものとする。また、画像４５２乃至４５４は、画像４５１から画像４５５までの間に、撮像素子１１７に結像される画像であるものとする。なお、画像４５１乃至４５５が撮像素子１１７に結像される間に、撮影者の位置を回転基準として撮像装置１００が右方向にパンニングされたものとする。
【００９６】
このように光学ズーム位置３０３のワイド端３０１側への移動に応じて生成された画像４５２乃至４５５について、ズーム倍率が略同一となるように、電子ズーム倍率が算出される。このように算出された電子ズーム倍率に基づいて、電子ズーム処理部２２０が、撮像部２１０により生成された画像について電子ズーム処理を行う。例えば、図１０（ａ）に示す画像４５２乃至４５５において取出範囲４６２乃至４６５に含まれる画像が取り出され、図１０（ｂ）に示すモニタリング画像４７２乃至４７５として表示部２７２に表示される。
【００９７】
このように、光学ズーム位置３０３のワイド端３０１への移動の前後において、撮像装置１００の姿勢変更があった場合でも、被写体の大きさを同一とするモニタリング画像を表示部２７２に表示させることができる。このため、動画撮像モードへの切替操作が行われた際に、ユーザが表示部２７２に表示されているモニタリング画像を見ている場合でも、被写体が同じ大きさで表示されるため、違和感を覚えることが少ない。また、動画撮像モードへの切替操作の前後で同一のズーム倍率からズーム操作を行うことができるため、ユーザの好みに応じたズーム操作を容易に迅速に行うことができる。
【００９８】
［静止画撮像モードへの切替操作時における制御例］
以上では、静止画撮像モードから動画撮像モードへの切替操作が行われた場合における光学ズームおよび電子ズームの制御について説明した。以下では、動画撮像モードから静止画撮像モードへの切替操作が行われた場合における光学ズームおよび電子ズームの制御例について説明する。
【００９９】
図１１は、本発明の第１の実施の形態における制御部２６０により制御されるズーム倍率の遷移の一例を示す図である。図１１（ａ）には、電子ズーム倍率の遷移を示し、図１１（ｂ）には、ズーム倍率（光学ズーム倍率および電子ズーム倍率）の遷移を示す。
【０１００】
図１１（ａ）および（ｂ）に示すグラフにおいて、横軸は時間軸を示し、縦軸はズーム倍率を示す。また、図１１（ａ）に示すズーム倍率の遷移は、電子ズーム処理による電子ズーム倍率の遷移であるのに対し、図１１（ｂ）に示すズーム倍率の遷移は、光学ズーム処理および電子ズーム処理の組合せにより得られるズーム倍率の遷移であるものとする。
【０１０１】
例えば、動画撮像モードから静止画撮像モードへの切替操作がユーザによりモード切替レバー１０７を用いて行われた場合には、この切替操作が受け付けられた際における電子ズーム位置を電子ズーム処理部２２０から制御部２６０が取得する。そして、制御部２６０が、その取得された電子ズーム位置（ズーム位置情報）をズーム位置情報保持部２５０に保持させる。続いて、制御部２６０の制御に基づいて、光学ズーム処理部２３０が、ズーム位置情報保持部２５０に保持された電子ズーム位置に対応する光学ズーム倍率となるように、光学ズーム位置３０３をテレ端３０２側に移動させる処理を行う。この光学ズーム位置３０３の移動とともに、電子ズーム処理部２２０が、制御部２６０の制御に基づいて、撮像部２１０から出力された撮像画像について電子ズームによる縮小処理を行う。
【０１０２】
例えば、図１１（ａ）および（ｂ）に示すグラフの横軸において、静止画撮像モードへの切替操作が行われた時刻を時刻ｔ４とし、その切替操作時におけるズーム倍率に対応する位置に光学ズーム位置３０３が到達した時刻を時刻ｔ５とする。例えば、静止画撮像モードへの切替操作が行われる直前の電子ズーム倍率は２．８倍であったものとする。この状態で静止画撮像モードへの切替操作が時刻ｔ４で行われると、図１１（ａ）に示すように、電子ズーム倍率が２．８倍から１．０倍まで遷移する。すなわち、電子ズーム処理部２２０が、制御部２６０の制御に基づいて、撮像部２１０により生成された撮像画像について縮小処理を行う。
【０１０３】
例えば、時刻ｔ４で静止画撮像モードへの切替操作が行われると、電子ズーム倍率が１．０倍まで遷移するため、この遷移に応じて、光学ズーム倍率を遷移させる。例えば、静止画撮像モードへの切替操作が行われる直前の電子ズーム倍率が２．８倍である場合を想定する。この電子ズーム倍率に対応するズーム位置情報をズーム位置情報保持部２５０が保持する。
【０１０４】
そして、電子ズーム倍率「２．８倍」に対応する位置まで、光学ズーム位置３０３をテレ端３０２側に移動させるように制御部２６０が光学ズーム処理部２３０を制御する。この移動とともに、図１１（ｂ）に示すように、光学ズーム処理および電子ズーム処理の組合せにより得られるズーム倍率が２．８倍となるように制御部２６０が電子ズーム処理部２２０を制御する。なお、光学ズーム処理および電子ズーム処理の組合せにより得られるズーム倍率の算出方法については、図６に示す例と同様であるため、ここでの説明を省略する。また、例えば、電子ズーム位置３２３がワイド端３２１の位置まで移動した後（すなわち、光学ズーム位置３０３がテレ端３０２側の所定位置に移動した後）に、静止画記録の開始指示操作が行われる（例えば、時刻ｔ６）。また、図１１（ｂ）に示す点線（電子ズーム５００）は、図１１（ａ）に示すものと同一である。
【０１０５】
また、図１１（ａ）および（ｂ）に示すグラフでは、説明の容易のため、電子ズーム５００の遷移を経過時間に比例して直線で示すが、電子ズーム５００の遷移は経過時間に比例しなくてもよい。また、図１１（ｂ）では、説明の容易のため、光学ズーム処理および電子ズーム処理の組合せにより得られるズーム倍率を同一として直線５０１で示す。ただし、光学ズーム処理および電子ズーム処理の組合せにより得られるズーム倍率が略同一となるように遷移させるようにしてもよい。また、ズームレンズの移動速度に関しては、例えば、通常時におけるズームレンズの移動速度のうち、最も早い速度とすることができる。これにより、静止画撮像モードへの切替操作が行われた後、迅速に光学ズームを用いたズーム操作を行うことができる。
【０１０６】
［光学ズーム位置の遷移の際における表示例］
図１２および図１３は、本発明の第１の実施の形態における制御部２６０により光学ズーム倍率および電子ズーム倍率が順次変更されている場合における撮像画像およびモニタリング画像の遷移の一例を示す図である。図１２および図１３における左側には、光学ズーム位置３０３の変更による撮像素子１１７に結像される画像（撮像画像）の遷移と、電子ズーム位置３２３の変更による撮像画像の取出領域の遷移とを示す。なお、各撮像画像の下側には、図３（ｂ）および図４（ｃ）と同様に、光学ズーム位置３０３および電子ズーム位置３２３を模式的示す。図１２および図１３における右側には、光学ズーム倍率および電子ズーム倍率が順次変更されている場合におけるモニタリング画像の遷移を示す。なお、この例では、静止画撮像モードへの切替操作が行われてから、光学ズーム位置３０３が所定位置（電子ズーム倍率により決定される位置）に到達するまでの間、撮像装置１００の姿勢変更（パンニング、チルチング等）がない場合について説明する。
【０１０７】
例えば、図１２（ａ）に示す画像５１１は、静止画撮像モードへの切替操作が行われる直前に撮像素子１１７に結像されていた画像であるものとする。この場合における電子ズーム倍率を２．８倍とする。この状態で静止画撮像モードへの切替操作が行われた場合には、光学ズーム位置３０３がテレ端３０２側に移動するため、この移動に応じて撮像素子１１７に結像される画像に含まれる被写体の撮像範囲が縮小される。すなわち、撮像素子１１７に結像される画像に含まれる被写体が拡大される。例えば、光学ズーム位置３０３のテレ端３０２側への移動に応じて、図１２（ｂ）、図１３（ａ）および（ｂ）に示す画像５１２乃至５１４が順次生成される。例えば、画像５１２は、光学ズーム倍率「１．６倍」により光学ズーム処理がされた画像であり、画像５１３は、光学ズーム倍率「２．２倍」により光学ズーム処理がされた画像であるものとする。また、画像５１４は、光学ズーム倍率「２．８倍」に対応する位置に光学ズーム位置３０３が到達した際に生成された画像であるものとする。
【０１０８】
このように光学ズーム位置３０３のテレ端３０２側への移動に応じて生成された画像５１２乃至５１４について、ズーム倍率が略同一となるように、電子ズーム倍率が算出される。例えば、画像５１２は、光学ズーム倍率「１．６倍」により光学ズーム処理がされた画像であるため、電子ズーム倍率「１・７５倍」が算出される。また、例えば、画像５１３は、光学ズーム倍率「２．２倍」により光学ズーム処理がされた画像であるため、電子ズーム倍率「１・２７倍」が算出される。また、例えば、画像５１４は、光学ズーム倍率「２．８倍」の画像であるため、電子ズーム倍率「１・０倍」が算出される。このように算出された電子ズーム倍率に基づいて、電子ズーム処理部２２０が、撮像部２１０により生成された画像について電子ズーム処理を行う。例えば、図１２（ｂ）、図１３（ａ）および（ｂ）に示す画像５１２乃至５１４において取出範囲５２２乃至５２４に含まれる画像が順次取り出され、モニタリング画像５３２乃至５３４として表示部２７２に表示される。また、光学ズーム位置３０３が、光学ズーム倍率「２．８倍」に対応する位置に到達した後には、光学ズーム処理によるズーム処理のみが行われる。なお、図１２（ｂ）および図１３（ａ）に示す画像５１２および５１３における点線５２１および５２２は、取出範囲の軌跡を示す。
【０１０９】
図１２および図１３に示すように、光学ズーム位置３０３のテレ端３０２側への移動により、撮像素子１１７に結像される画像５１１乃至５１４が順次変更される。このように変更される場合でも、電子ズーム位置３２３のワイド端３２１への移動により、表示部２７２に表示されるモニタリング画像５３１乃至５３４のズーム倍率を同一とすることができる。
【０１１０】
［撮像装置の動作例］
次に、本発明の第１の実施の形態における撮像装置１００の動作について図面を参照して説明する。
【０１１１】
図１４は、本発明の第１の実施の形態における撮像装置１００による撮像モード切替制御処理の処理手順を示すフローチャートである。この例では、静止画撮像モードが設定されている場合において、画像記録待機状態である場合における撮像モード切替制御処理を例にして示す。
【０１１２】
最初に、動画撮像モードへの切替操作が受け付けられたか否かが判断される（ステップＳ９０１）。動画撮像モードへの切替操作が受け付けられていない場合には（ステップＳ９０１）、動画撮像モードへの切替操作が受け付けられるまでの間、監視が継続される。動画撮像モードへの切替操作が受け付けられた場合には（ステップＳ９０１）、動画撮像モード切替処理が行われる（ステップＳ９２０）。この動画撮像モード切替処理については、図１５を参照して詳細に説明する。
【０１１３】
続いて、動画記録開始指示操作が受け付けられたか否かが判断される（ステップＳ９０２）。この動画記録開始指示操作は、例えば、動画撮像モードが設定されている場合において、ユーザがシャッターボタン１０３を押下する操作である。動画記録開始指示操作が受け付けられていない場合には（ステップＳ９０２）、ズーム操作が受け付けられたか否かが判断される（ステップＳ９０３）。このズーム操作は、例えば、ユーザがズームボタン１０６のＷボタンまたはＴボタンを押下する操作である。ズーム操作が受け付けられた場合には（ステップＳ９０３）、受け付けられたズーム操作に応じて電子ズーム処理が行われ（ステップＳ９０４）、ステップＳ９１０に進む。一方、ズーム操作が受け付けられていない場合には（ステップＳ９０３）、ステップＳ９１０に進む。このように動画撮像モードが設定されている場合において、画像記録待機状態であっても、モニタリング画像が表示部２７２に表示されているため、電子ズーム処理が行われる。
【０１１４】
また、動画記録開始指示操作が受け付けられた場合には（ステップＳ９０２）、動画記録処理が行われる（ステップＳ９０５）。すなわち、記録制御部２８１が、電子ズーム処理部２２０により電子ズーム処理がされた画像データについて所定の符号化方式に従って圧縮符号化し、この圧縮符号化された画像データを動画ファイルとして記録部２８２に記録させる。この記録の際には、音声データについても動画ファイルとして記録される。続いて、動画記録終了指示操作が受け付けられたか否かが判断される（ステップＳ９０６）。この動画記録終了指示操作は、例えば、動画記録処理が行われている状態で、ユーザがシャッターボタン１０３を押下する操作である。動画記録終了指示操作が受け付けられていない場合には（ステップＳ９０６）、ズーム操作が受け付けられたか否かが判断される（ステップＳ９０７）。そして、ズーム操作が受け付けられた場合には（ステップＳ９０７）、受け付けられたズーム操作に応じて電子ズーム処理が行われ（ステップＳ９０８）、ステップＳ９０５に進む。一方、ズーム操作が受け付けられていない場合には（ステップＳ９０７）、ステップＳ９０５に進む。
【０１１５】
動画記録終了指示操作が受け付けられた場合には（ステップＳ９０６）、動画記録終了処理が行われる（ステップＳ９０９）。続いて、静止画撮像モードへの切替操作が受け付けられたか否かが判断され（ステップＳ９１０）、静止画撮像モードへの切替操作が受け付けられていない場合には、ステップＳ９０２に戻る。一方、静止画撮像モードへの切替操作が受け付けられた場合には（ステップＳ９１０）、静止画撮像モード切替処理が行われる（ステップＳ９３０）。この動画撮像モード切替処理については、図１６を参照して詳細に説明する。
【０１１６】
図１５は、本発明の第１の実施の形態における撮像装置１００による撮像モード切替制御処理の処理手順のうちの動画撮像モード切替処理（図１４に示すステップＳ９２０の処理手順）を示すフローチャートである。
【０１１７】
最初に、制御部２６０が、光学ズーム位置を光学ズーム処理部２３０から取得し、この光学ズーム位置（ズーム位置情報）をズーム位置情報保持部２５０に保持させる（ステップＳ９２１）。続いて、電子ズーム処理部２２０が、動画撮像モードへの切替操作が受け付けられた際におけるモニタリング画像の画角と同一の画角となるように、撮像部２１０から出力された撮像画像について電子ズーム処理を行う（ステップＳ９２２）。この電子ズーム処理は、ズーム位置情報保持部２５０に保持されたズーム位置情報と、移動中の光学ズーム位置とに基づいて制御部２６０により電子ズーム倍率が算出され、この電子ズーム倍率に基づいて行われる。なお、ステップＳ９２２は、特許請求の範囲に記載の第２の制御手順の一例である。
【０１１８】
続いて、表示制御部２７１が、制御部２６０の制御に基づいて、電子ズーム処理により生成された画像を表示部２７２にモニタリング画像として表示させる（ステップＳ９２３）。続いて、光学ズーム処理部２３０が、制御部２６０の制御に基づいて、光学ズーム位置をワイド端側に移動させる（ステップＳ９２４）。なお、ステップＳ９２４は、特許請求の範囲に記載の第１の制御手順の一例である。続いて、光学ズーム位置がワイド端に到達したか否かが判断される（ステップＳ９２５）。光学ズーム位置がワイド端に到達していない場合には（ステップＳ９２５）、ステップＳ９２２に戻り、光学ズーム位置がワイド端に到達した場合には、動画撮像モード切替処理の動作を終了する。
【０１１９】
図１６は、本発明の第１の実施の形態における撮像装置１００による撮像モード切替制御処理の処理手順のうちの静止画撮像モード切替処理（図１４に示すステップＳ９３０の処理手順）を示すフローチャートである。
【０１２０】
最初に、制御部２６０が、電子ズームのズーム位置情報（例えば、電子ズーム倍率）を電子ズーム処理部２２０から取得し、このズーム位置情報をズーム位置情報保持部２５０に保持させる（ステップＳ９３１）。続いて、制御部２６０が、ズーム位置情報保持部２５０に保持されたズーム位置情報に基づいて光学ズーム位置を移動させる位置を決定する（ステップＳ９３２）。
【０１２１】
続いて、光学ズーム処理部２３０が、制御部２６０の制御に基づいて、光学ズーム位置をテレ端側に移動させる（ステップＳ９３３）。続いて、電子ズーム処理部２２０が、制御部２６０の制御に基づいて、切替操作が受け付けられた際におけるモニタリング画像の画角と同一の画角となるように、撮像部２１０から出力された撮像画像について電子ズーム処理を行う（ステップＳ９３４）。この電子ズーム処理は、ズーム位置情報保持部２５０に保持されたズーム位置情報と、移動中の光学ズーム位置とに基づいて制御部２６０により電子ズーム倍率が算出され、この電子ズーム倍率に基づいて行われる。
【０１２２】
続いて、表示制御部２７１が、制御部２６０の制御に基づいて、電子ズーム処理により生成された画像を表示部２７２にモニタリング画像として表示させる（ステップＳ９３５）。続いて、光学ズーム位置が、決定された位置に到達したか否かが判断される（ステップＳ９３６）。光学ズーム位置が、決定された位置に到達していない場合には（ステップＳ９３６）、ステップＳ９３３に戻る。一方、光学ズーム位置が、決定された位置に到達した場合には（ステップＳ９３６）、表示制御部２７１が、制御部２６０の制御に基づいて、光学ズーム処理により生成された画像を表示部２７２にモニタリング画像として表示させる（ステップＳ９３７）。そして、静止画撮像モード切替処理の動作を終了する。
【０１２３】
＜２．第２の実施の形態＞
［撮像装置の機能構成例］
本発明の第１の実施の形態では、撮像モードの切替操作が行われ、ズームレンズが移動中には、電子ズーム処理により生成された画像をモニタリング画像として表示する例を示した。しかしながら、例えば、撮像モードの切替操作が行われた後に、ズームレンズが移動する時間は比較的短いことが想定される（例えば、１秒）。このため、例えば、撮像装置の姿勢が変化していない場合等には、撮像モードの切替操作が行われた際における撮像画像をモニタリング表示用の画像として用いることができると考えられる。そこで、本発明の第２の実施の形態では、撮像モードの切替操作が行われた場合において、ズームレンズの移動が終了するまでの間、その切替操作が行われた際における静止画をモニタリング画像として表示する例について説明する。なお、本発明の第２の実施の形態における外観構成および内部構成については、本発明の第１の実施の形態における撮像装置１００と略同一であるため、ここでの説明を省略する。また、本発明の第２の実施の形態における機能構成については、本発明の第１の実施の形態における撮像装置１００と略同一である。このため、以下では、撮像装置１００と共通する部分については同一の符号を付して説明を省略し、撮像装置１００と異なる点を中心に説明する。
【０１２４】
図１７は、本発明の第２の実施の形態における撮像装置６００の機能構成例を示すブロック図である。撮像装置６００は、姿勢検出部６１０およびモニタリング画像保持部６２０を備える。
【０１２５】
姿勢検出部６１０は、撮像装置１００に加えられた加速度、動き、傾き等を検出するものであるであり、検出された各情報を姿勢情報として制御部２６０に出力する。なお、姿勢検出部６１０は、図２に示すジャイロセンサ１９０に対応する。
【０１２６】
モニタリング画像保持部６２０は、表示制御部２７１の制御に基づいて、撮像部２１０または電子ズーム処理部２２０から出力された画像をモニタリング表示用の画像として保持するものである。そして、モニタリング画像保持部６２０は、ズームレンズの移動が終了するまでの間、保持されている画像（静止画）を表示制御部２７１に供給する。なお、モニタリング画像保持部６２０は、図２に示すメモリ１４３に対応する。また、モニタリング画像保持部６２０は、特許請求の範囲に記載の画像保持部の一例である。
【０１２７】
制御部２６０は、静止画撮像モードから動画撮像モードへの切替操作が操作受付部２４０により受け付けられた場合には、その切替操作時に撮像部２１０により生成された画像をモニタリング画像保持部６２０に保持させる。すなわち、その切替操作時に表示部２７２に表示されていたモニタリング画像と略同一の画像がモニタリング画像保持部６２０に保持される。そして、制御部２６０は、撮像部２１０におけるズームレンズをワイド端側へ移動させるとともに、モニタリング画像保持部６２０に保持された画像をモニタリング画像として表示部２７２に表示させる。制御部２６０は、静止画撮像モードから動画撮像モードへの切替操作が操作受付部２４０により受け付けられた場合には、その切替操作時に電子ズーム処理部２２０により生成された画像をモニタリング画像保持部６２０に保持させる。すなわち、その切替操作時に表示部２７２に表示されていたモニタリング画像と略同一の画像がモニタリング画像保持部６２０に保持される。そして、制御部２６０は、撮像部２１０におけるズームレンズをテレ端側へ移動させるとともに、モニタリング画像保持部６２０に保持された画像をモニタリング画像として表示部２７２に表示させる。なお、モニタリング画像保持部６２０に保持された画像は、その切替操作によるズームレンズの移動が終了するまでの間、モニタリング画像として表示部２７２に表示される。
【０１２８】
表示制御部２７１は、制御部２６０の制御に基づいて、撮像部２１０または電子ズーム処理部２２０から出力された画像をモニタリング画像としてモニタリング画像保持部６２０に保持させる。また、表示制御部２７１は、制御部２６０の制御に基づいて、モニタリング画像保持部６２０に保持されているモニタリング画像を表示部２７２に表示させる。
【０１２９】
［光学ズーム位置の遷移の際における表示例］
図１８は、本発明の第２の実施の形態における制御部２６０により光学ズーム倍率が順次変更されている場合における撮像画像およびモニタリング画像の遷移の一例を示す図である。図１８（ａ）には、光学ズーム位置３０３の変更による撮像素子１１７に結像される画像（撮像画像）の遷移を示す。図１８（ｂ）には、モニタリング画像保持部６２０に保持される画像を示す。図１８（ｃ）には、光学ズーム倍率が順次変更されている場合におけるモニタリング画像の遷移を示す。なお、この例では、動画撮像モードへの切替操作が行われてから、光学ズーム位置３０３がワイド端３０１に到達するまでの間、撮像装置１００の姿勢変更（パンニング、チルチング等）がない場合について説明する。また、この例は、図７および図８に示す例の変形例であり、図７および図８に示す画像４０１乃至４０４の遷移と、図１８（ａ）に示す画像６３１乃至６３４の遷移とは同一である。また、図７および図８に示すモニタリング画像４２１乃至４２４に含まれる被写体と、図１８（ｃ）に示すモニタリング画像６４１乃至６４４に含まれる被写体とは同一である。
【０１３０】
例えば、画像６３１は、動画撮像モードへの切替操作が行われる直前に撮像素子１１７に結像されていた画像であるものとする。この状態で動画撮像モードへの切替操作が行われた場合には、光学ズーム位置３０３がワイド端３０１側に移動するため、この移動に応じて撮像素子１１７に結像される画像に含まれる被写体の撮像範囲が拡大される。すなわち、撮像素子１１７に結像される画像に含まれる被写体が縮小される。例えば、光学ズーム位置３０３のワイド端３０１側への移動に応じて、画像６３２乃至６３４が順次生成される。また、画像６３４は、光学ズーム位置３０３がワイド端３０１に到達した際に生成された画像であるものとする。
【０１３１】
ここで、動画撮像モードへの切替操作が行われた場合には、表示制御部２７１が、制御部２６０の制御に基づいて、その切替操作が行われる直前に撮像素子１１７に結像されていた画像６３１をモニタリング画像保持部６２０に保持させる。すなわち、図１８（ｂ）に示すように、画像６３１がモニタリング表示用の画像６２１としてモニタリング画像保持部６２０に保持される。続いて、光学ズーム位置３０３がワイド端３０１側に移動している間は、モニタリング画像保持部６２０に保持されている画像６２１がモニタリング画像６４１乃至６４４として表示される。また、光学ズーム位置３０３がワイド端３０１に到達した後（すなわち、光学ズーム倍率「１．０倍」となった後）には、動画撮像モードへの切替操作が行われる際における光学ズーム倍率と略同一となるように、電子ズーム処理によるズーム処理が行われる。例えば、動画撮像モードへの切替操作が行われた際における光学ズーム倍率が２．８倍である場合には、電子ズーム倍率が２・８倍となるように、電子ズーム処理部２２０が、撮像部２１０により生成された画像について電子ズーム処理を行う。例えば、図１８（ａ）に示す画像６３５における取出範囲６３９に含まれる画像が取り出され、図１８（ｃ）に示すモニタリング画像６４５として表示される。また、これ以降については、電子ズーム処理によるズーム処理のみが行われる。なお、図１８（ａ）に示す画像６３２乃至６３４における点線６３６乃至６３８は、モニタリング画像保持部６２０に保持されている画像６２１に対応する被写体の範囲を示す。
【０１３２】
図１８（ａ）に示すように、光学ズーム位置３０３のワイド端３０１への移動により、撮像素子１１７に結像される画像６３１乃至６３４が順次変更される。このように光学ズーム倍率が変更されている間、電子ズーム処理を行わなくても、図１８（ｃ）に示すように、表示部２７２には同一のモニタリング画像６４１乃至６４４を表示させることができる。これにより、切替操作時における電子ズーム処理を軽減させることができる。
【０１３３】
［光学ズーム位置の遷移の際における表示例］
図１９は、本発明の第２の実施の形態における制御部２６０により光学ズーム倍率が順次変更されている場合における撮像画像およびモニタリング画像の遷移の一例を示す図である。図１９（ａ）には、光学ズーム位置３０３の変更による撮像素子１１７に結像される画像（撮像画像）の遷移を示す。図１９（ｂ）には、モニタリング画像保持部６２０に保持される画像を示す。図１９（ｃ）には、光学ズーム倍率が順次変更されている場合におけるモニタリング画像の遷移を示す。なお、この例では、静止画撮像モードへの切替操作が行われてから、光学ズーム位置３０３が所定位置（電子ズーム倍率により決定される位置）に到達するまでの間、撮像装置１００の姿勢変更（パンニング、チルチング等）がない場合について説明する。また、この例は、図１２および図１３に示す例の変形例であり、図１２および図１３に示す画像５１１乃至５１４の遷移と、図１９（ａ）に示す画像６５１乃至６５４の遷移とは同一である。また、図１２および図１３に示すモニタリング画像５３１乃至５３４に含まれる被写体と、図１９（ｃ）に示すモニタリング画像６６１乃至６６４に含まれる被写体とは同一である。
【０１３４】
例えば、画像６５１は、静止画撮像モードへの切替操作が行われる直前に撮像素子１１７に結像されていた画像であるものとする。この場合における電子ズーム倍率を２．８倍とする。この状態で静止画撮像モードへの切替操作が行われた場合には、光学ズーム位置３０３がテレ端３０２側に移動するため、この移動に応じて撮像素子１１７に結像される画像に含まれる被写体の撮像範囲が縮小される。すなわち、撮像素子１１７に結像される画像に含まれる被写体が拡大される。例えば、光学ズーム位置３０３のテレ端３０２側への移動に応じて、画像６５２乃至６５４が順次生成される。また、画像６５４は、光学ズーム倍率「２．８倍」に対応する位置に光学ズーム位置３０３が到達した際に生成された画像であるものとする。
【０１３５】
ここで、静止画撮像モードへの切替操作が行われた場合には、表示制御部２７１が、制御部２６０の制御に基づいて、その切替操作が行われた際にモニタリング画像として表示部２７２に表示されていた画像をモニタリング画像保持部６２０に保持させる。すなわち、図１９（ｂ）に示すように、その切替操作が行われた際に撮像素子１１７に結像されていた画像６５１における取出範囲６５６に含まれる画像がモニタリング表示用の画像６２２としてモニタリング画像保持部６２０に保持される。続いて、光学ズーム位置３０３がテレ端３０２側に移動している間は、モニタリング画像保持部６２０に保持されている画像６２２がモニタリング画像６６１乃至６６４として表示される。また、光学ズーム位置３０３が所定位置（光学ズーム倍率「２．８倍」に対応する位置）に到達した場合には、静止画撮像モードへの切替操作が行われた際における電子ズーム倍率と略同一となる。例えば、図１９（ａ）に示す画像６５５（電子ズーム倍率「１．０倍」）が、図１９（ｃ）に示すモニタリング画像６６５として表示される。また、これ以降については、光学ズーム処理によるズーム処理のみが行われる。なお、図１９（ａ）に示す画像６５２および６５３における点線６５７乃至６５８は、モニタリング画像保持部６２０に保持されている画像６２２に対応する被写体の範囲を示す。
【０１３６】
図１９（ａ）に示すように、光学ズーム位置３０３のテレ端３０２への移動により、撮像素子１１７に結像される画像６５１乃至６５４が順次変更される。このように光学ズーム倍率が変更されている間、電子ズーム処理を行わなくても、図１９（ｃ）に示すように、表示部２７２には同一のモニタリング画像６６１乃至６６４を表示させることができる。これにより、切替操作時における電子ズーム処理を軽減させることができる。
【０１３７】
［撮像装置の動作例］
図２０は、本発明の第２の実施の形態における撮像装置６００による動画撮像モード切替処理の処理手順を示すフローチャートである。なお、この例は、図１５に示す動画撮像モード切替処理の変形例である。このため、図１５に示す処理手順と同一の部分については、同一の符号を付して説明を省略する。
【０１３８】
最初に、光学ズームのズーム位置情報がズーム位置情報保持部２５０に保持される（ステップＳ９２１）。続いて、表示制御部２７１が、制御部２６０の制御に基づいて、動画撮像モードへの切替操作が受け付けられた際に表示されていたモニタリング画像をモニタリング画像保持部６２０に保持させる（ステップＳ９４１）。続いて、表示制御部２７１が、制御部２６０の制御に基づいて、モニタリング画像保持部６２０に保持された画像をモニタリング画像として表示部２７２に表示させる（ステップＳ９４２）。
【０１３９】
また、光学ズーム位置がワイド端に到達したか否かが判断され（ステップＳ９２５）、光学ズーム位置がワイド端に到達していない場合には、ステップＳ９２４に戻る。一方、光学ズーム位置がワイド端に到達した場合には（ステップＳ９２５）、動画撮像モードへの切替操作が受け付けられた際におけるモニタリング画像の画角と同一の画角となるように、撮像画像について電子ズーム処理が行われる（ステップＳ９４３）。すなわち、制御部２６０が、ズーム位置情報保持部２５０に保持されたズーム位置情報に基づいて電子ズーム倍率を算出する。そして、この電子ズーム倍率に基づいて、電子ズーム処理部２２０が撮像部２１０から出力された撮像画像について電子ズーム処理を行う。なお、ステップＳ９４３は、特許請求の範囲に記載の第２の制御手順の一例である。続いて、表示制御部２７１が、制御部２６０の制御に基づいて、電子ズーム処理により生成された画像を表示部２７２にモニタリング画像として表示させ（ステップＳ９４４）、動画撮像モード切替処理の動作を終了する。
【０１４０】
図２１は、本発明の第２の実施の形態における撮像装置１００による静止画撮像モード切替処理の処理手順を示すフローチャートである。なお、この例は、図１６に示す静止画撮像モード切替処理の変形例である。このため、図１６に示す処理手順と同一の部分については、同一の符号を付して説明を省略する。
【０１４１】
最初に、電子ズームのズーム位置情報がズーム位置情報保持部２５０に保持される（ステップＳ９３１）。続いて、表示制御部２７１が、制御部２６０の制御に基づいて、静止画撮像モードへの切替操作が受け付けられた際に表示されていたモニタリング画像をモニタリング画像保持部６２０に保持させる（ステップＳ９５１）。続いて、電子ズーム処理部２２０が電子ズーム処理を終了し、表示制御部２７１が、制御部２６０の制御に基づいて、モニタリング画像保持部６２０に保持された画像をモニタリング画像として表示部２７２に表示させる（ステップＳ９５２）。
【０１４２】
続いて、光学ズーム位置をテレ端側に移動させ（ステップＳ９３３）、光学ズーム位置が、決定された位置に到達したか否かが判断される（ステップＳ９３６）。光学ズーム位置が、決定された位置に到達していない場合には（ステップＳ９３６）、ステップＳ９３３に戻る。一方、光学ズーム位置が、決定された位置に到達した場合には（ステップＳ９３６）、表示制御部２７１が、制御部２６０の制御に基づいて、光学ズーム処理により生成された画像を表示部２７２にモニタリング画像として表示させる（ステップＳ９３７）。そして、静止画撮像モード切替処理の動作を終了する。
【０１４３】
［撮像モードの切替操作時における表示制御の第１の変形例］
図１８乃至図２１に示す例では、撮像モードの切替操作が行われた際における静止画をモニタリング画像として表示する例を示した。しかしながら、例えば、撮像モードの切替操作が行われた後に、ズームレンズが移動する時間が比較的長くなる場合には、本発明の第１の実施の形態で示したモニタリング画像を表示させてユーザの違和感を低減させることが重要である。そこで、以下では、ズームレンズの位置に応じて、モニタリング画像の表示方法を変更する例について説明する。
【０１４４】
ここで、図１７に示す制御部２６０は、静止画撮像モードから動画撮像モードへの切替操作が操作受付部２４０により受け付けられた場合には、その切替操作時におけるズームレンズの位置に基づいてモニタリング画像を表示する表示方法を決定する。なお、この表示方法の決定については、図２２を参照して詳細に説明する。
【０１４５】
図２２は、本発明の第２の実施の形態における光学ズーム処理部２３０による移動対象となる光学ズーム位置と、表示対象となるモニタリング画像との関係を模式的に示す図である。なお、図２２に示すズームレンズ動作範囲３００は、図３（ｂ）に示すものと同一であるため、ここでの詳細な説明を省略する。
【０１４６】
例えば、静止画撮像モードから動画撮像モードへの切替操作が受け付けられた際における光学ズーム位置３０３に応じて、モニタリング画像を表示する表示方法を決定することができる。例えば、静止画撮像モードから動画撮像モードへの切替操作が受け付けられた際における光学ズーム位置３０３がワイド端３０１に近い範囲（静止画表示範囲３０５）に存在する場合には、ズームレンズが移動する時間が比較的短いと想定される。このため、その切替操作が受け付けられた際における光学ズーム位置３０３が静止画表示範囲３０５に存在する場合には、図１８に示すように、静止画をモニタリング画像として表示する。一方、静止画撮像モードから動画撮像モードへの切替操作が受け付けられた際における光学ズーム位置３０３がテレ端３０２に近い範囲（電子ズーム画像表示範囲３０６）に存在する場合には、ズームレンズが移動する時間が比較的長いと想定される。このため、その切替操作が受け付けられた際における光学ズーム位置３０３が電子ズーム画像表示範囲３０６に存在する場合には、図７、図８および図１０に示すように、電子ズーム処理により生成された画像をモニタリング画像として順次表示する。ここで、例えば、光学ズーム倍率が１．０倍から４．０倍の範囲で変更可能である場合には、静止画表示範囲３０５および電子ズーム画像表示範囲３０６の境界位置を、光学ズーム倍率「２．０倍」に対応する位置とすることができる。
【０１４７】
［撮像装置の動作例］
図２３は、本発明の第２の実施の形態における撮像装置１００による動画撮像モード切替処理の処理手順を示すフローチャートである。なお、この例は、図１５および図２０に示す動画撮像モード切替処理の変形例である。このため、図１５および図２０に示す処理手順と同一の部分については、同一の符号を付して説明を省略する。
【０１４８】
最初に、光学ズームのズーム位置情報がズーム位置情報保持部２５０に保持される（ステップＳ９２１）。続いて、光学ズーム位置がワイド端側に存在するか否かが判断され（ステップＳ９６１）、光学ズーム位置がワイド端側に存在する場合には、ステップＳ９４１に進み、光学ズーム位置がテレ端側に存在する場合には、ステップＳ９２２に進む。例えば、図２２に示すズームレンズ動作範囲３００において、光学ズーム位置３０３が静止画表示範囲３０５に存在する場合には、ステップＳ９４１に進み、光学ズーム位置３０３が電子ズーム画像表示範囲３０６に存在する場合には、ステップＳ９２２に進む。
【０１４９】
なお、図２２および図２３に示す例では、静止画撮像モードから動画撮像モードへの切替操作が受け付けられた場合における表示制御についてのみ示した。しかしながら、例えば、動画撮像モードから静止画撮像モードへの切替操作が受け付けられた場合における表示制御についても適用することができる。例えば、動画撮像モードから静止画撮像モードへの切替操作が受け付けられた際における電子ズーム位置に基づいて決定される光学ズーム位置が静止画表示範囲３０５に存在する場合には、図１９に示すように、静止画をモニタリング画像として表示する。一方、その切替操作が受け付けられた際における電子ズーム位置に基づいて決定される光学ズーム位置が電子ズーム画像表示範囲３０６に存在する場合には、図１２および図１３に示すように、電子ズーム処理により生成された画像をモニタリング画像として表示する。
【０１５０】
［撮像モードの切替操作時における表示制御の第２の変形例］
第１の変形例では、ズームレンズの位置に応じて、モニタリング画像の表示方法を変更する例を示した。ここで、例えば、撮像装置１００の姿勢が変化しているような場合には、モニタリング画像に含まれる被写体が変更される可能性が高い。このため、ズームレンズの位置に関わらず、本発明の第１の実施の形態で示したモニタリング画像を表示させてユーザの違和感を低減させることが重要である。そこで、以下では、撮像装置１００の姿勢の変化の有無に応じて、モニタリング画像を表示する表示方法を変更する例について図面を参照して詳細に説明する。
【０１５１】
ここで、図１７に示す制御部２６０は、静止画撮像モードから動画撮像モードへの切替操作が操作受付部２４０により受け付けられた場合には、その切替操作時における姿勢検出部６１０により検出された姿勢情報を取得する。そして、取得された姿勢情報に基づいて、モニタリング画像を表示する表示方法を決定する。例えば、その切替操作が受け付けられた際に、姿勢検出部６１０により検出された姿勢情報により特定される撮像装置６００の変化量がほとんど存在しない場合（閾値未満である場合）には、モニタリング画像に含まれる被写体の変化量が小さいと想定される。このため、その切替操作が受け付けられた際に、姿勢検出部６１０により検出された姿勢情報により特定される撮像装置６００の変化量が閾値未満である場合には、図１８に示すように、静止画をモニタリング画像として表示する。一方、その切替操作が受け付けられた際に、姿勢検出部６１０により検出された姿勢情報により特定される撮像装置６００の変化量が比較的大きい（閾値以上である場合）には、モニタリング画像に含まれる被写体の変化量が大きいと想定される。このため、その切替操作が受け付けられた際に、姿勢検出部６１０により検出された姿勢情報により特定される撮像装置６００の変化量が閾値以上である場合には、電子ズーム処理により生成された画像をモニタリング画像として順次表示する。例えば、図７、図８および図１０に示すように、電子ズーム処理により生成された画像がモニタリング画像として順次表示される。ここで、撮像装置６００の変化量を判定する際における閾値は、人間の視覚特性を考慮してユーザに違和感を与えない程度の値を設定することが好ましい。
【０１５２】
［撮像装置の動作例］
図２４は、本発明の第２の実施の形態における撮像装置１００による動画撮像モード切替処理の処理手順を示すフローチャートである。なお、この例は、図２３に示す処理手順と同一の部分については、同一の符号を付して説明を省略する。
【０１５３】
最初に、光学ズームのズーム位置情報がズーム位置情報保持部２５０に保持される（ステップＳ９２１）。続いて、姿勢検出部６１０により検出された姿勢情報により特定される撮像装置６００の変化量が閾値以上であるか否かが判断される（ステップＳ９７１）。撮像装置６００の変化量が閾値以上である場合には、ステップＳ９２２に進み、撮像装置６００の変化量が閾値未満である場合には、ステップＳ９４１に進む。
【０１５４】
なお、図２４に示す例では、静止画撮像モードから動画撮像モードへの切替操作が受け付けられた場合における表示制御についてのみ示した。しかしながら、例えば、動画撮像モードから静止画撮像モードへの切替操作が受け付けられた場合における表示制御についても適用することができる。例えば、動画撮像モードから静止画撮像モードへの切替操作が受け付けられた際に、撮像装置６００の変化量が閾値未満である場合には、図１９に示すように、静止画をモニタリング画像として表示する。一方、その切替操作が受け付けられた際に、撮像装置６００の変化量が閾値以上である場合には、図１２および図１３に示すように、電子ズーム処理により生成された画像をモニタリング画像として表示する。
【０１５５】
このように、ズームレンズの位置や撮像装置の姿勢に基づいて、モニタリング画像の表示方法を変更することにより、ユーザに与える違和感を低減させることができる。
【０１５６】
＜３．第３の実施の形態＞
［撮像装置の機能構成例］
上述した本発明の各実施の形態では、動画撮像モードへの切替操作が行われた場合には、ズームレンズの移動が終了してから動画記録処理を開始する例を示した。しかしながら、例えば、動画撮像モードの切替操作が行われた直後に、動画記録の開始指示操作が行われることも想定される。また、撮像装置の種類によっては、動画撮像モードの切替動作と、動画記録の開始指示操作とが同一の操作部材を用いて同時に行われることも想定される。このような場合には、ズームレンズが移動中であっても、動画記録を迅速に開始することが重要となる。しかしながら、このような状態で動画記録動作を開始すると、ズームレンズの移動により発生する音声がノイズとして記録されることとなるため、このノイズを低減させることが重要となる。そこで、本発明の第３の実施の形態では、動画撮像モードへの切替操作が行われてズームレンズが移動中に動画記録の開始指示操作が行われた場合において、迅速に記録動作を開始するとともに、ノイズを低減させる例について説明する。なお、本発明の第３の実施の形態における機能構成については、本発明の第１の実施の形態における撮像装置１００と略同一であるため、以下では、撮像装置１００と異なる点を中心に説明する。
【０１５７】
ここで、図５に示す制御部２６０は、静止画撮像モードから動画撮像モードへの切替操作が操作受付部２４０により受け付けられた場合には、ズームレンズをワイド端側へ移動させる制御を行う。また、その切替操作によるズームレンズの移動中に動画記録の開始指示操作が行われた場合には、ズームレンズの移動速度が一定の速度となるように減速させ、記録制御部２８１に動画の記録動作を開始させる。
【０１５８】
［光学ズームおよび電子ズームの制御例］
図２５は、本発明の第３の実施の形態における制御部２６０により制御されるズーム倍率の遷移の一例を示す図である。図２５（ａ）には、光学ズーム倍率の遷移を示し、図２５（ｂ）には、ズーム倍率（光学ズーム倍率および電子ズーム倍率）の遷移を示す。なお、図２５（ａ）および（ｂ）に示す例は、図６の変形例であり、ズーム倍率が２．８倍から１．０倍に遷移する途中で、動画記録の開始指示操作が行われる点が図６と異なる。このため、以下では、図６と異なる点を中心に説明する。また、図２５（ｃ）には、ズームレンズの移動により発生するノイズレベルの遷移を示す。
【０１５９】
図２５（ａ）および（ｂ）に示すグラフにおいて、横軸は時間軸を示し、縦軸はズーム倍率を示す。また、図２５（ａ）に示すズーム倍率の遷移は、光学ズーム処理による光学ズーム倍率の遷移であるのに対し、図２５（ｂ）に示すズーム倍率の遷移は、光学ズーム処理および電子ズーム処理の組合せにより得られるズーム倍率の遷移であるものとする。また、図２５（ｃ）に示すグラフにおいて、横軸は時間軸を示し、縦軸はノイズレベル（ｄＢ）を示す。なお、図２５（ｃ）に示すグラフでは、ノイズレベルを模式的に示す。
【０１６０】
例えば、図２５（ａ）および（ｂ）に示すグラフの横軸において、動画撮像モードへの切替操作が行われた時刻を時刻ｔ１１とし、光学ズーム位置３０３がワイド端３０１に到達した時刻を時刻ｔ１３とする。また、動画記録の開始指示操作が行われた時刻を時刻ｔ１２（ｔ１１≦ｔ１２＜ｔ１３）とする。例えば、動画撮像モードへの切替操作が行われる直前の光学ズーム位置３０３は、光学ズーム倍率「２．８倍」に対応する位置であったものとする。この状態で動画撮像モードへの切替操作が時刻ｔ１１で行われると、図２５（ａ）に示すように、光学ズーム位置３０３が、光学ズーム倍率「２．８倍」に対応する位置から光学ズーム倍率「１．０倍」に対応する位置まで遷移する。ここで、光学ズーム位置が移動中に、動画記録の開始指示操作が時刻ｔ１２で行われると、動画記録処理を開始させる必要がある。しかしながら、光学ズーム位置が移動中に動画記録処理を開始させると、ズームレンズの移動により発生する音声がノイズとして動画とともに記録されることとなる。そこで、本発明の第３の実施の形態では、図２５（ａ）および（ｂ）に示すように、光学ズーム位置が移動中に、動画記録の開始指示操作が行われた場合には、ズームレンズの移動速度を低速に変更する。例えば、図２５（ｃ）に示すように、人間の視覚特性を考慮して視聴者に違和感を与えない程度のノイズレベルを閾値ＴＨ１として設定し、この閾値ＴＨ１未満となるように、ズームレンズの移動速度を変更する。
【０１６１】
これにより、動画撮像モードへの切替操作が行われた直後に動画記録の開始指示操作が行われた場合でも、ノイズレベルを低減させて適切に動画記録処理を行うことができる。
【０１６２】
また、図２５（ａ）および（ｂ）に示すグラフでは、説明の容易のため、光学ズーム７００の遷移（時刻ｔ１１からｔ１２までの遷移、時刻ｔ１２からｔ１３までの遷移）を経過時間に比例して直線で示す。ただし、光学ズーム７００の遷移は経過時間に比例しなくてもよい。また、図２５（ｂ）では、説明の容易のため、光学ズーム処理および電子ズーム処理の組合せにより得られるズーム倍率を同一として直線７０１で示す。ただし、光学ズーム処理および電子ズーム処理の組合せにより得られるズーム倍率が略同一となるように遷移させるようにしてもよい。また、動画記録の開始指示操作が行われた後のズームレンズの移動速度に関しては、ユーザの好みに応じて適宜設定するようにしてもよい。
【０１６３】
［撮像装置の動作例］
図２６は、本発明の第３の実施の形態における撮像装置１００による撮像モード切替制御処理の処理手順を示すフローチャートである。なお、この例は、図１４に示す撮像モード切替制御処理の変形例である。このため、図１４に示す処理手順と同一の部分については、同一の符号を付して説明を省略する。
【０１６４】
最初に、動画撮像モードへの切替操作が受け付けられたか否かが判断され（ステップＳ９０１）、動画撮像モードへの切替操作が受け付けられた場合には、動画撮像モード切替処理が行われる（ステップＳ９８０）。この動画撮像モード切替処理については、図２７を参照して詳細に説明する。
【０１６５】
続いて、動画記録中であるか否かが判断される（ステップＳ９８５）。動画記録中でない場合には（ステップＳ９８５）、ステップＳ９０２に進み、動画記録中である場合には（ステップＳ９８５）、ステップＳ９０５に進む。
【０１６６】
図２７は、本発明の第３の実施の形態における撮像装置１００による撮像モード切替制御処理の処理手順のうちの動画撮像モード切替処理（図２６に示すステップＳ９８０の処理手順）を示すフローチャートである。なお、この例は、図１５に示す動画撮像モード切替処理の変形例である。このため、図１５に示す処理手順と同一の部分については、同一の符号を付して説明を省略する。
【０１６７】
光学ズーム位置がワイド端側に移動された後に（ステップＳ９２４）、動画記録中であるか否かが判断される（ステップＳ９８１）。動画記録中である場合には（ステップＳ９８１）、ステップＳ９２５に進む。一方、動画記録中でない場合には（ステップＳ９８１）、動画記録開始指示操作が受け付けられたか否かが判断される（ステップＳ９８２）。動画記録開始指示操作が受け付けられていない場合には（ステップＳ９８２）、ステップＳ９２５に進む。一方、動画記録開始指示操作が受け付けられた場合には（ステップＳ９８２）、光学ズーム処理部２３０が、制御部２６０の制御に基づいて、光学ズーム位置のワイド端側への移動速度を低速に変更する（ステップＳ９８３）。このように、移動速度が低速に変更された以降は、ステップＳ９２４において、その低速の移動速度で光学ズーム位置がワイド端側に移動する。続いて、動画記録処理が行われ（ステップＳ９８４）、ステップＳ９２５に進む。
【０１６８】
＜４．第４の実施の形態＞
上述した本発明の各実施の形態では、動画撮像モードへの切替操作が行われた場合には、ズームレンズをワイド端まで移動させる例を示した。しかしながら、静止画撮像モードでズーム倍率を比較的高く設定した状態で静止画の記録動作を行った後に、動画撮像モードでも同様にズーム倍率を比較的高く設定した状態で動画の記録動作を行う場合も想定される。また、撮像モードの種類によっては、ズームレンズをワイド端まで移動させると、最低解像度を維持できないおそれもある。そこで、以下では、動画撮像モードへの切替操作が行われた場合に、ズームレンズをワイド端まで移動させずに記録動作を開始する例について説明する。なお、本発明の第４の実施の形態における機能構成については、本発明の第１の実施の形態における撮像装置１００と略同一であり、以下で示す各制御は、制御部２６０により行われる。
【０１６９】
［光学ズーム位置の決定例］
図２８は、動画撮像モードへの切替操作が行われる直前における光学ズーム倍率と、この切替操作が行われた後にズームレンズを移動させる位置に対応するズーム倍率との関係を模式的に示す図である。図２８において、横軸は、動画撮像モードへの切替操作が行われる直前における光学ズーム倍率を示し、縦軸は、その切替操作が行われた後にズームレンズを移動させる位置に対応するズーム倍率を示す。例えば、太線で示す光学ズーム位置決定線７５０に従って、動画撮像モードへの切替操作が行われた後における光学ズーム位置が決定されるものとする。例えば、動画撮像モードへの切替操作が行われる直前における光学ズーム倍率が２．０倍である場合には、矢印７５１および７５２に示すように、その切替操作が行われた後に光学ズーム位置を移動させる位置は、光学ズーム倍率「１．２倍」の位置と決定される。また、例えば、動画撮像モードへの切替操作が行われる直前の光学ズーム倍率が２．８倍である場合には、矢印７５３および７５４に示すように、その切替操作が行われた後に光学ズーム位置を移動させる位置は、光学ズーム倍率「１．７倍」の位置と決定される。
【０１７０】
例えば、静止画撮像モードでズーム倍率を比較的高く設定した状態で静止画の記録動作を行った後に、動画撮像モードでも同様にズーム倍率を比較的高く設定した状態で動画の記録動作を行う場合も想定される。このような場合でも、図２８に示す光学ズーム位置決定線７５０に従って、動画撮像モードへの切替操作が行われた後における光学ズーム位置を決定することにより、適切に光学ズーム位置を決定することができる。これにより、例えば、テレ端側でのユーザが想定する電子ズームの画質を維持することができる。なお、動画撮像モードへの切替操作が行われた後における光学ズーム位置を決定する光学ズーム位置決定線に関しては、ユーザの好みに応じて適宜設定するようにしてもよい。
【０１７１】
［光学ズーム位置の遷移の際における表示例］
図２９は、本発明の第４の実施の形態における表示部２７２に表示されるモニタリング画像の表示例を示す。図２９に示すモニタリング画像８００は、図２８に示す光学ズーム位置決定線７５０に従って動画撮像モードへの切替操作が行われた後に、表示部２７２に表示されるモニタリング画像である。なお、モニタリング画像８００に重ねて表示されるズームバー４３１は、ズーム倍率下限値制限表示領域８０１が追加して表示される点以外は、図９に示すものと同一である。このため、共通する部分については、同一の符号を付してここでの説明を省略する。
【０１７２】
例えば、動画撮像モードへの切替操作が行われる直前における光学ズーム倍率が１．７倍を超えている場合には、その切替操作が行われた後に光学ズーム位置を移動させる位置は、光学ズーム倍率が１．０倍を越えた位置と決定される。この場合には、動画撮像モードにおけるズーム倍率（光学ズーム倍率および電子ズーム倍率）については、光学ズーム倍率「１．０倍」に対応するズーム倍率とすることができない。このようにズーム倍率の下限値が制限されている旨をユーザに通知するため、例えば、図２９に示すように、ズームバー４３１におけるワイド端側の範囲において、ズーム倍率下限値制限表示領域８０１を表示させる。ズーム倍率下限値制限表示領域８０１は、ワイド（Ｗ）端４３２からテレ（Ｔ）端４３３までのズーム範囲内において、ズーム倍率の下限値が制限されている旨を表示する領域であり、他の範囲と区別して表示される。例えば、図２９に示すように、ズーム倍率下限値制限表示領域８０１に対応する上下端を点線で表示し、他の範囲に対応する上下端を実線で表示することができる。ズーム倍率下限値制限表示領域８０１の水平方向の長さは、例えば、動画撮像モードへの切替操作が行われた後に光学ズーム位置を移動させる位置に対応して決定することができる。
【０１７３】
［電子ズーム倍率の上限値の決定例］
図３０は、動画撮像モードへの切替操作が行われる直前における光学ズーム倍率と、この切替操作が行われた後に可能となる電子ズーム倍率との関係を模式的に示す図である。図３０において、横軸は、動画撮像モードへの切替操作が行われる直前における光学ズーム倍率を示し、縦軸は、その切替操作が行われた後に可能となる電子ズーム倍率を示す。例えば、太線で示す電子ズーム倍率上限値決定線７６０に従って、動画撮像モードへの切替操作が行われた後における電子ズーム倍率の上限値が決定されるものとする。なお、点線で示す光学ズーム位置決定線７５０は、図２８に示すものと同一であり、図３０では太い点線で示す。
【０１７４】
例えば、動画撮像モードで一定の解像度を維持した状態で動画の記録動作を行う場合が想定される。動画撮像モードの種類として、例えば、超高画質（フルＨＤ（High Definition ））モード、高画質（ＨＤ）モード、スタンダードモード、プレゼンテーションモード等を設定することができる。超高画質モードは、例えば、総画素数が１，５５５，２００（横方向画素数：１４４０、縦方向画素数：１０８０）画素であり、高画質モードは、例えば、総画素数が９２１，６００（横方向画素数：１２８０、縦方向画素数：７２０）画素である。また、スタンダードモードは、例えば、総画素数が３０７，２００（横方向画素数：６４０、縦方向画素数：４８０）画素であり、例えば、ＶＧＡ（Video Graphics Array））モードとすることができる。また、プレゼンテーションモードは、総画素数が７６，８００（横方向画素数：３２０、縦方向画素数：２４０）画素である。
【０１７５】
このように、動画撮像モードで一定の解像度を維持した状態で動画の記録動作を行う場合には、ズームレンズの位置と、電子ズーム倍率の範囲とを適切に設定することが重要である。例えば、図３０に示すように、光学ズーム位置決定線７５０に従って光学ズーム位置を決定するとともに、電子ズーム倍率上限値決定線７６０に従って電子ズーム倍率の上限値を決定することができる。例えば、動画撮像モードへの切替操作が行われる直前における光学ズーム倍率が２．４倍である場合には、矢印７６１および７６２に示すように、その切替操作が行われた後に可能となる電子ズーム倍率は、「３．０倍」と決定される。なお、その切替操作が行われた後に光学ズーム位置を移動させる位置は、光学ズーム倍率「１．４倍」の位置と決定される。このように、ズームレンズの位置と、電子ズーム倍率の範囲とを設定することにより、動画撮像モードで一定の解像度を維持した状態で、適切に電子ズーム倍率の操作を行うことができる。これにより、例えば、ユーザが設定した動画撮像モードの画質を維持することができる。なお、電子ズーム倍率上限値決定線に関しては、ユーザの好みに応じて適宜設定するようにしてもよい。また、光学ズーム位置決定線と、電子ズーム倍率上限値決定線とは、互いに関連付けて設定するようにしてもよく、別個に設定するようにしてもよい。
【０１７６】
［光学ズーム位置の遷移の際における表示例］
図３１は、本発明の第４の実施の形態における表示部２７２に表示されるモニタリング画像の表示例を示す。図３１に示すモニタリング画像８１０は、図３０に示す光学ズーム位置決定線７５０に従ってズームレンズが移動され、電子ズーム倍率上限値決定線７６０に従って電子ズーム倍率の上限値が決定された場合におけるモニタリング画像である。なお、モニタリング画像８１０に重ねて表示されるズームバー４３１は、ズーム操作禁止範囲領域８１２が追加して表示される点以外は、図２９に示すものと同一である。このため、共通する部分については、同一の符号を付してここでの説明を省略する。
【０１７７】
例えば、電子ズーム倍率上限値決定線７６０に従って、電子ズーム倍率の上限値が決定された場合には、その切替操作が行われた後における電子ズーム倍率の上限値が制限される。この場合には、動画撮像モードにおける電子ズーム倍率をテレ端まで変更することができないことがある。このようにズーム倍率の変更ができない範囲（ズーム操作禁止範囲）が存在する旨をユーザに通知するため、例えば、図３１に示すように、ズームバー４３１におけるテレ端側の範囲において、ズーム操作禁止範囲領域８１２を表示させる。ズーム操作禁止範囲領域８１２は、ワイド（Ｗ）端４３２からテレ（Ｔ）端４３３までのズーム範囲内において、テレ（Ｔ）端４３３側で禁止されるズーム倍率の範囲を表示する領域であり、他の範囲と区別して表示される。例えば、図３１に示すように、ズーム操作禁止範囲領域８１２に対応する上下端を点線で表示し、内部に点線の斜線を付して表示し、ズーム倍率の変更が可能な範囲に対応する上下端を実線で表示することができる。なお、ズーム倍率下限値制限表示領域８０１と同様の表示形態とするようにしてもよい。
【０１７８】
［他の変形例］
ここで、例えば、ユーザによっては、ズームレンズの移動によるノイズが動画とともに記録されることよりも、動画の画質を重視することも想定される。そこで、例えば、動画撮像モードとして、高画質モード（例えば、超高画質モード、高画質モード）が選択されている場合には、動画撮像モードへの切替操作時にズームレンズのワイド端側への移動を行わないようにしてもよい。これにより、電子ズーム処理による画質の劣化を防止することができる。
【０１７９】
また、動画撮像モードとして超高画質モードが選択されている場合には、ユーザが動画の画質を非常に重視していることも想定される。そこで、動画撮像モードとして超高画質モードが選択されている場合には、高い画質を維持するため、動画撮像モードへの切替操作時にズームレンズのワイド端側への移動を行わないとともに、電子ズーム処理を行わないようにしてもよい。
【０１８０】
また、動画撮像モードの種類として、例えば、ポートレートモード、風景モード、スポーツモード、マクロモード等が知られている。これらの動画撮像モードのうち、例えば、ポートレートモードは画質重視であり、風景モードはワイド重視であり、スポーツモードは望遠重視であり、マクロモードはワイドおよび拡大重視であると想定される。そこで、例えば、動画撮像モードとしてスポーツモードが選択された場合には、電子ズーム処理による画質の劣化を防止するため、動画撮像モードへの切替操作時にズームレンズのワイド端側への移動を行わないようにしてもよい。また、例えば、動画撮像モードとしてポートレートモードが選択された場合には、高い画質を維持するため、動画撮像モードへの切替操作時にズームレンズのワイド端側への移動を行わないとともに、電子ズーム処理を行わないようにしてもよい。また、例えば、動画撮像モードとして風景モードが選択された場合には、ワイド重視であるため、動画撮像モードへの切替操作時にズームレンズのワイド端側への移動を行うが、電子ズーム処理を行わないようにしてもよい。
【０１８１】
すなわち、特定の動画撮像モード（例えば、スタンダードモード、プレゼンテーションモード、風景モード、マクロモード）が選択されている場合にのみ、動画撮像モードへの切替操作時にズームレンズのワイド端側への移動を行うようにしてもよい。また、特定の動画撮像モード（例えば、高画質モード、スタンダードモード、プレゼンテーションモード、スポーツモード、マクロモード）が選択されている場合にのみ、電子ズーム処理を行うようにしてもよい。
【０１８２】
ここで、例えば、動画撮像モードの種類として、動画とともに音声を記録する通常モードと、動画のみを記録して音声を記録しない静音モードとが存在する。例えば、動画撮像モードとして静音モードが選択されている場合には、音声が記録されないため、ズームレンズの移動により発生するノイズについても記録されることがない。そこで、動画撮像モードとして静音モードが選択されている場合には、動画撮像モードへの切替操作時にズームレンズのワイド端側への移動を行わないようにしてもよい。なお、電子ズーム処理については、通常モードおよび静音モードの何れのモードでも行うようにしてもよい。
【０１８３】
すなわち、特定の動画撮像モード（例えば、通常モード）が選択されている場合にのみ、動画撮像モードへの切替操作時にズームレンズのワイド端側への移動を行うようにしてもよい。
【０１８４】
また、電子ズーム処理を行う場合には、ワイド端側と比較してテレ端側では画質が低下することが想定される。そこで、電子ズーム倍率に応じて、撮像素子に結像された画像を構成する各画素の間引き率を変更して、テレ端側での画質の低下を低減させるようにしてもよい。
【０１８５】
例えば、静止画撮像モードが設定されている場合には、光学ズーム処理によるズーム操作が行われる。このため、撮像素子に結像された画像を構成する各画素のうち、全ラインからの読み出しが行われる。一方、動画撮像モードが設定されている場合には、電子ズーム処理によるズーム操作が行われる。動画撮像モードが設定されている場合において、電子ズーム倍率として１．０倍から２．０倍の範囲内の倍率が設定されている場合には、撮像素子に結像された画像を構成する各画素のうち、２ラインに１ラインの割合で読み出しが行われる。すなわち、１ライン毎に間引きが行われ、読み出しが行われる。また、電子ズーム倍率として２．０倍から４．０倍の範囲内の倍率が設定されている場合には、撮像素子に結像された画像を構成する各画素のうち、全ラインからの読み出しが行われる。これにより、動画撮像モードが設定されている場合において、電子ズーム倍率が変更される場合でもユーザの好みに応じた画質を維持することができる。
【０１８６】
以上で示したように、本発明の実施の形態によれば、静止画撮像モードから動画撮像モードへの切替時に、ズームレンズがワイド端側の所定の位置に移動するように制御することにより、動画撮像モードの設定時における適切なズーム範囲を確保することができる。例えば、その切替時におけるズームレンズがどの位置に存在しても、画角が一番広くなるように、ズームレンズをワイド端に移動させる。このように画角が一番広くなった状態で、電子ズーム処理を行うことにより、ユーザ好みのズーム倍率を適切に操作することができる。すなわち、ズームレンズがワイド端に到着した直後に、テレ端方向とワイド端方向との双方向へズーム操作が可能な電子ズーム操作を実現することができる。また、動画撮像モードが設定されている場合において、電子ズームのみを使用することにより、ズームレンズの移動によるノイズが記録されることを防止することができる。
【０１８７】
また、動画撮像モードへの切替時において、モニタリング画像の画角変化がないため、その切替の前後においてユーザが違和感を覚えることがなく撮像動作を継続して行うことができる。また、静止画撮像モードへの切替時においても、モニタリング画像の画角変化がないため、その切替の前後においてユーザが違和感を覚えることがなく撮像動作を継続して行うことができる。
【０１８８】
また、本発明の実施の形態は、主に光学ズームおよび電子ズームの制御のみで実現することができるため、撮像装置に新たな部品等を追加する必要がない。このため、撮像装置の小型軽量化および低コスト化を実現することが可能となる。
【０１８９】
なお、本発明の実施の形態では、動画撮像モードの切替操作を行う操作部材と、動画記録の開始指示操作を行う操作部材とが異なる場合の例を示したが、これらの操作部材を同一の操作部材として用いるようにしてもよい。また、被写体を撮像して撮像画像を生成し、光学ズームおよび電子ズームを行うことが可能な撮像部を備える携帯電話等に本発明の実施の形態を適用することができる。
【０１９０】
なお、本発明の実施の形態は本発明を具現化するための一例を示したものであり、本発明の実施の形態において明示したように、本発明の実施の形態における事項と、特許請求の範囲における発明特定事項とはそれぞれ対応関係を有する。同様に、特許請求の範囲における発明特定事項と、これと同一名称を付した本発明の実施の形態における事項とはそれぞれ対応関係を有する。ただし、本発明は実施の形態に限定されるものではなく、本発明の要旨を逸脱しない範囲において実施の形態に種々の変形を施すことにより具現化することができる。
【０１９１】
また、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【符号の説明】
【０１９２】
１００、６００  撮像装置
１０１  カメラケース
１０２  電源ボタン
１０３  シャッターボタン
１０４  レンズ鏡筒
１０５  表示部
１０６  ズームボタン
１０７  モード切替レバー
１１０  レンズ鏡筒部
１１１  ズームレンズ群
１１２、１１３、１１５  レンズ
１１４  フォーカスレンズ群
１１７  撮像素子
１２１  レンズ鏡筒制御回路
１２２  レンズ駆動部
１２３  レンズ位置検出回路
１３１  音声入力部
１３２  音声信号処理回路
１４１  前処理回路
１４２  画像信号処理回路
１４３  メモリ
１５０  電子ズーム回路
１６０  記録媒体
１７０  モニタ駆動回路
１８０  制御回路
１９０  ジャイロセンサ
２１０  撮像部
２２０  電子ズーム処理部
２３０  光学ズーム処理部
２４０  操作受付部
２５０  ズーム位置情報保持部
２６０  制御部
２７１  表示制御部
２８１  記録制御部
２８２  記録部
６１０  姿勢検出部
６２０  モニタリング画像保持部
【図１】
2010263548.tif 000003
【図２】
2010263548.tif 000004
【図３】
2010263548.tif 000005
【図５】
2010263548.tif 000006
【図６】
2010263548.tif 000007
【図７】
2010263548.tif 000008
【図８】
2010263548.tif 000009
【図１０】
2010263548.tif 000010
【図１１】
2010263548.tif 000011
【図１２】
2010263548.tif 000012
【図１３】
2010263548.tif 000013
【図１４】
2010263548.tif 000014
【図１５】
2010263548.tif 000015
【図１６】
2010263548.tif 000016
【図１７】
2010263548.tif 000017
【図１８】
2010263548.tif 000018
【図１９】
2010263548.tif 000019
【図２０】
2010263548.tif 000020
【図２１】
2010263548.tif 000021
【図２２】
2010263548.tif 000022
【図２３】
2010263548.tif 000023
【図２４】
2010263548.tif 000024
【図２５】
2010263548.tif 000025
【図２６】
2010263548.tif 000026
【図２７】
2010263548.tif 000027
【図２８】
2010263548.tif 000028
【図３０】
2010263548.tif 000029
【図４】
2010263548.tif 000030
【図９】
2010263548.tif 000031
【図２９】
2010263548.tif 000032
【図３１】
2010263548.tif 000033